(57)【要約】【課題】ウェブサイトへの画像の投稿において、ユーザの情報開示志向に応じたプライバシーの保護を実現すること。【解決手段】端末装置は、第１のウェブサイトへの投稿画像を第１のユーザに指定させる第１のウェブページ情報をサーバ装置から受信する情報受信部と、受信した第１のウェブページ情報を記憶する記憶部と、記憶部から前記第１のウェブページ情報を読み出して画面に表示する情報処理部と、を有し、画面には、第１のウェブサイトへの投稿画像の候補である複数の画像のうち、第２のウェブサイトで使用されている画像に基づいて選択された画像が、他の画像よりも画面中央にまたは異なる態様で表示される。【選択図】図２
2015158905.tif 000002
【特許請求の範囲】
【請求項１】
第１のウェブサイトを提供するサーバ装置と通信する端末装置であって、
前記第１のウェブサイトへの投稿画像を第１のユーザに指定させる第１のウェブページ情報を前記サーバ装置から受信する情報受信部と、
前記受信した第１のウェブページ情報を記憶する記憶部と、
前記記憶部から前記第１のウェブページ情報を読み出して画面に表示する情報処理部と、を有し、
前記画面には、
前記第１のウェブサイトへの投稿画像の候補である複数の画像のうち、第２のウェブサイトで使用されている画像に基づいて選択された画像が、他の画像よりも画面中央に表示または前記選択された画像が前記他の画像とは異なる態様で表示される、
端末装置。
【請求項２】
前記画面には、
異なる角度で撮影された前記第１のユーザの複数の頭部画像が表示され、かつ、前記複数の頭部画像のうち、前記第２のウェブサイトで使用されている前記第１のユーザの頭部画像に基づいて選択された頭部画像が、他の頭部画像よりも画面中央に表示または前記選択された頭部画像が前記他の頭部画像とは異なる態様で表示される、
請求項１記載の端末装置。
【請求項３】
前記画面には、
前記選択された頭部画像が、前記他の頭部画像よりも拡大され、かつ、前記画面中央に表示される、
請求項２記載の端末装置。
【請求項４】
前記選択された画像が前記他の画像とは異なる態様で表示されるとは、
前記選択された画像が、前記他の画像よりも拡大されて表示される、
前記選択された画像の周囲を囲う線が表示される、
前記選択された画像が点滅して表示される、
のいずれかである請求項１に記載の端末装置。
【請求項５】
前記第１のウェブページ情報は、
前記第１のユーザにより予め指定された、前記第１のウェブサイトへの投稿画像の公開範囲ごとに別々に前記画面に表示される、
請求項１から３のいずれか１項に記載の端末装置。
【請求項６】
前記情報受信部は、
前記第１のユーザを公開範囲に含む第２のユーザの投稿画像を含む第２のウェブページ情報を前記サーバ装置から受信し、
前記情報処理部は、
前記第２のウェブページ情報を前記記憶部に記憶した後、前記記憶部から前記第２のウェブページ情報を読み出して前記画面に表示し、
前記画面には、
前記投稿画像が表示され、かつ、前記投稿画像に対して前記第１のユーザが意思表示を示す情報を入力できる入力用ボタンが表示される、
請求項２から５のいずれか１項に記載の端末装置。
【請求項７】
前記記憶部は、メモリを含み、
前記情報受信部および情報処理部のいずれかは、プロセッサを含む請求項１記載の端末装置。
【請求項８】
第１のウェブサイトを端末装置に提供するサーバ装置であって、
前記第１のウェブサイトへの投稿画像の候補である複数の画像と、前記第１のウェブサイトへの投稿画像を公開する範囲として第１のユーザにより指定された第１の公開範囲とを前記端末装置から受信し、第２のウェブサイトに投稿されている画像と、当該画像が公開されている範囲である第２の公開範囲とを前記第２のウェブサイトを提供する第２のサーバ装置から受信する情報受信部と、
前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択し、当該選択した画像が他の画像よりも画面中央に表示または前記選択した画像が前記他の画像とは異なる態様で表示されるウェブページ情報を生成する情報生成部と、
前記ウェブページ情報を前記端末装置へ送信する情報送信部と、を具備する、
サーバ装置。
【請求項９】
前記情報受信部は、
前記第１のウェブサイトへの投稿画像として異なる角度で撮影された第１のユーザの複数の頭部画像と、前記第１の公開範囲とを前記端末装置から受信し、前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、
前記情報生成部は、
前記第１の公開範囲が前記第２の公開範囲に含まれる場合、前記複数の頭部画像のうち、前記第２のウェブサイトに投稿されている前記第１のユーザの頭部画像と撮影角度が同じかまたは前記第１のユーザの顔がより認識しやすい撮影角度の頭部画像を選択し、当該選択した頭部画像が他の頭部画像よりも画面中央に表示または前記選択した頭部画像が前記他の頭部画像とは異なる態様で表示される前記ウェブページ情報を生成する、
請求項８記載のサーバ装置。
【請求項１０】
前記情報受信部は、
前記第１のウェブサイトへの投稿画像として異なる角度で撮影された第１のユーザの複数の頭部画像と、前記第１の公開範囲とを前記端末装置から受信し、前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、
前記情報生成部は、
前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択し、当該選択した頭部画像が他の頭部画像よりも画面中央に表示または前記選択した頭部画像が前記他の頭部画像とは異なる態様で表示される前記ウェブページ情報を生成する、
請求項８記載のサーバ装置。
【請求項１１】
前記情報受信部、情報生成部、情報送信部のうちの少なくとも１つはプロセッサを含む請求項８記載のサーバ装置。
【請求項１２】
第１のウェブサイトを端末装置に提供する情報投稿支援システムにおける情報投稿支援方法であって、
前記情報投稿支援システムのコンピュータに対し、
前記第１のウェブサイトへの投稿画像の候補である複数の画像と、前記第１のウェブサイトへの投稿画像を公開する範囲として第１のユーザにより指定された第１の公開範囲とを前記端末装置から受信する処理と、
第２のウェブサイトに投稿されている画像と、当該画像が公開されている範囲である第２の公開範囲とを前記第２のウェブサイトを提供する第２のサーバ装置から受信する処理と、
前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択する処理と、
前記選択で選択された画像が他の画像よりも画面中央に表示または前記選択した頭部画像が前記他の頭部画像とは異なる態様で表示されるウェブページ情報を生成する処理と、
前記ウェブページ情報を前記端末装置へ送信する処理とを実行させる、
情報投稿支援方法。
【請求項１３】
前記端末装置から受信する処理は、
前記第１のウェブサイトへの投稿画像として異なる角度で撮影された第１のユーザの複数の頭部画像と、前記第１の公開範囲とを前記端末装置から受信し、
前記第２のサーバ装置から受信する処理は、
前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、
前記選択する処理は、
前記第１の公開範囲が前記第２の公開範囲に含まれる場合、前記複数の頭部画像のうち、前記第２のウェブサイトに投稿されている前記第１のユーザの頭部画像と撮影角度が同じかまたは前記第１のユーザの顔がより認識しやすい撮影角度の頭部画像を選択し、
前記生成する処理は、
前記選択で選択された頭部画像が他の頭部画像よりも画面中央に表示または前記選択した頭部画像が前記他の頭部画像とは異なる態様で表示される前記ウェブページ情報を生成する、
請求項１２記載の情報投稿支援方法。
【請求項１４】
前記端末装置から受信する処理は、
前記第１のウェブサイトへの投稿画像として異なる角度で撮影された第１のユーザの複数の頭部画像と、前記第１の公開範囲とを前記端末装置から受信し、
前記第２のサーバ装置から受信する処理は、
前記第２のウェブサイトに投稿されている前記第１のユーザの頭部画像と、当該第１のユーザの頭部画像が公開されている範囲である前記第２の公開範囲とを前記第２のウェブサイトを提供する前記第２のサーバ装置から受信し、
前記選択する処理は、
前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択し、
前記生成する処理は、
前記選択で選択された頭部画像が他の頭部画像よりも画面中央に表示または前記選択した頭部画像が前記他の頭部画像とは異なる態様で表示される前記ウェブページ情報を生成する、
請求項１２記載の情報投稿支援方法。
【請求項１５】
前記受信する処理、前記選択する処理および前記送信する処理のうちの少なくとも１つはプロセッサを用いて行われる、
請求項１２記載の情報投稿支援方法。
【請求項１６】
第１のウェブサイトを端末装置に提供するコンピュータに実行させるコンピュータプログラムであって、
前記コンピュータに対し、
前記第１のウェブサイトへの投稿画像の候補である複数の画像と、前記第１のウェブサイトへの投稿画像を公開する範囲として第１のユーザにより指定された第１の公開範囲とを前記端末装置から受信する処理と、
第２のウェブサイトに投稿されている画像と、当該画像が公開されている範囲である第２の公開範囲とを前記第２のウェブサイトを提供する第２のサーバ装置から受信する処理と、
前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択する処理と、
前記選択処理で選択された画像が他の画像よりも画面中央に表示または前記選択した画像が前記他の画像とは異なる態様で表示されるウェブページ情報を生成する処理と、
前記ウェブページ情報を前記端末装置へ送信する処理と、を実行させる、
コンピュータプログラム。
【請求項１７】
前記端末装置から受信する処理は、
前記第１のウェブサイトへの投稿画像として異なる角度で撮影された第１のユーザの複数の頭部画像と、前記第１の公開範囲とを前記端末装置から受信する処理であり、
前記第２のサーバ装置から受信する処理は、
前記第２のウェブサイトに投稿されている画像と、当該画像が公開されている範囲である前記第２の公開範囲とを前記第２のウェブサイトを提供する前記第２のサーバ装置から受信する処理であり、
前記選択する処理は、
前記第１の公開範囲が前記第２の公開範囲に含まれる場合、前記複数の頭部画像のうち、前記第２のウェブサイトに投稿されている前記第１のユーザの頭部画像と撮影角度が同じかまたはより第１のユーザの顔が認識しやすい撮影角度の頭部画像を選択する処理であり、
前記生成する処理は、
前記選択で選択された頭部画像が他の頭部画像よりも画面中央に表示または前記選択した頭部画像が前記他の頭部画像とは異なる態様で表示される前記ウェブページ情報を生成する処理である、
請求項１６記載のコンピュータプログラム。
【請求項１８】
前記端末装置から受信する処理は、
前記第１のウェブサイトへの投稿画像として異なる角度で撮影された第１のユーザの複数の頭部画像と、前記第１の公開範囲とを前記端末装置から受信し、
前記第２のサーバ装置から受信する処理は、
前記第２のウェブサイトに投稿されている画像と、当該画像が公開されている範囲である前記第２の公開範囲とを前記第２のウェブサイトを提供する前記第２のサーバ装置から受信し、
前記選択する処理は、
前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択する処理であり、
前記生成する処理は、
前記選択で選択された頭部画像が他の頭部画像よりも画面中央に表示または前記選択した頭部画像が前記他の頭部画像とは異なる態様で表示される前記ウェブページ情報を生成する処理である、
請求項１６記載のコンピュータプログラム。
【発明の詳細な説明】
【技術分野】
【０００１】
本開示は、ウェブサイトへの画像の投稿を支援する端末装置、サーバ装置、情報投稿支援方法およびコンピュータプログラムに関する。
【背景技術】
【０００２】
従来、評価対象の口コミ情報をサーバが端末から収集し、その口コミ情報をまとめたウェブサイト（以下、評価サイトという）をサーバが端末へ提供するシステムが知られている。端末のユーザは、その評価サイトへアクセスすることで、他のユーザが投稿した口コミ情報を見ることができ、所望の評価対象の評判を知ることができる。なお、評価対象の例としては、飲食店（例えば、特許文献１）または化粧品（例えば、特許文献２）が挙げられる。
【先行技術文献】
【特許文献】
【０００３】
【特許文献１】特開２０１３−２２２２７８号公報
【特許文献２】特許第４４７８４７９号公報
【発明の概要】
【発明が解決しようとする課題】
【０００４】
しかしながら、上記システムにおいて、評価対象がヘアサロン等で施術された髪型である場合、口コミ情報として髪型の写真（画像）が投稿されるが、その写真にはユーザの顔が含まれることがあり、プライバシーの保護が必要となる。
【０００５】
本発明の目的は、ウェブサイトへの画像の投稿において、ユーザの情報開示志向に応じたプライバシーの保護を実現することである。
【課題を解決するための手段】
【０００６】
本開示の一態様に係る端末装置は、第１のウェブサイトを提供するサーバ装置と通信する端末装置であって、前記第１のウェブサイトへの投稿画像を第１のユーザに指定させる第１のウェブページ情報を前記サーバ装置から受信する情報受信部と、前記第１のウェブページ情報を記憶する記憶部と、前記記憶部から前記第１のウェブページ情報を読み出して画面に表示する情報処理部と、を有し、前記画面には、前記第１のウェブサイトへの投稿画像の候補である複数の画像のうち、第２のウェブサイトで使用されている画像に基づいて選択された画像が、他の画像よりも画面中央に表示または前記選択された画像が前記他の画像とは異なる態様で表示される構成を採る。
なお、これらの包括的または具体的な側面は、システム、方法、および、コンピュータプログラムで実現されてもよく、システム、装置、方法、およびコンピュータプログラムの任意な組み合わせで実現されてもよい。
【０００７】
本開示によれば、第１のウェブサイトへの画像の投稿において、ユーザの情報開示志向に応じたプライバシーの保護を実現できる。
【図面の簡単な説明】
【０００８】
【図１Ａ】図１Ａは、本開示の実施の形態に係る情報投稿支援システムの概要について説明する図である。
【図１Ｂ】図１Ｂは、本開示の実施の形態に係る情報投稿支援システムにおけるデータセンタ運営会社と機器メーカとの関係の一例について説明する図である。
【図１Ｃ】図１Ｃは、本開示の実施の形態に係る情報投稿支援システムにおけるデータセンタ運営会社と機器メーカおよび管理会社との関係の一例について説明する図である。
【図２】図２は、本開示の実施の形態に係る情報投稿支援システムの構成の一例を示すブロック図である。
【図３】図３は、本開示の実施の形態に係るデータテーブルの一例を示す図である。
【図４】図４は、本開示の実施の形態に係る情報投稿支援システムにおける情報投稿支援処理の処理手順の一例を示すフローチャートである。
【図５】図５は、本開示の実施の形態に係る第１の提示情報の表示の一例を示す図である。
【図６Ａ】図６Ａは、本開示の実施の形態に係る第２の提示情報の表示の一例を示す図である。
【図６Ｂ】図６Ｂは、本開示の実施の形態に係る第２の提示情報の表示の一例を示す図である。
【図７】図７は、本開示の実施形態に係る表示画面の一例を示す図である。
【図８Ａ】図８Ａは、本実施の形態の提示情報の表示の一例を示す図である。
【図８Ｂ】図８Ｂは、本実施の形態の提示情報の表示の一例を示す図である。
【図９Ａ】図９Ａは、本開示の実施の形態に係る第２の提示情報の表示の一例を示す図である。
【図９Ｂ】図９Ｂは、本開示の実施の形態に係る第２の提示情報の表示の一例を示す図である。
【図１０Ａ】図１０Ａは、本開示の実施の形態に係る第２の提示情報の表示の一例を示す図である。
【図１０Ｂ】図１０Ｂは、本開示の実施の形態に係る第２の提示情報の表示の一例を示す図である。
【図１１Ａ】図１１Ａは、本開示の実施の形態に係る情報投稿支援システムの構成の一例を示すブロック図である。
【図１１Ｂ】図１１Ｂは、本開示の実施の形態に係るデータテーブルの一例を示す図である本開示の実施の形態に係る情報投稿支援システムの構成の一例を示すブロック図である。
【図１２】図１２は、本開示の実施の形態に係る情報投稿支援システムにおける情報投稿支援処理の処理手順の一例を示すフローチャートである。
【図１３】図１３は、本開示の実施の形態に係る第３の提示情報の表示の一例を示す図である。
【図１４】図１４は、本開示の実施の形態に係る機器およびサーバ装置の機能をソフトウェアにより実現するコンピュータのハードウェア構成の一例を示す図である。
【図１５】図１５は、本開示の実施の形態に係るサービスの類型１（自社データセンタ型）の一例を示す図である。
【図１６】図１６は、本開示の実施の形態に係るサービスの類型２（ＩａａＳ利用型）の一例を示す図である。
【図１７】図１７は、本開示の実施の形態に係るサービスの類型３（ＰａａＳ利用型）の一例を示す図である。
【図１８】図１８は、本開示の実施の形態に係るサービスの類型４（ＳａａＳ利用型）の一例を示す図である。
【発明を実施するための形態】
【０００９】
まず、本発明者らが本開示に係る各態様の開示をするにあたって、検討した事項を説明する。
（本発明の基礎となった知見）
従来のシステムにおいて、評価対象がヘアサロン等で施術された髪型である場合、口コミ情報として髪型の写真（画像）が投稿されるが、その写真にはユーザの顔が含まれることがあり、プライバシーの保護が必要となる。
【００１０】
本開示は、ウェブサイトへの画像の投稿において、ユーザの情報開示志向に応じたプライバシーの保護を実現する端末装置、サーバ装置、情報投稿支援方法およびコンピュータプログラムを記録した非一時的記録媒体を提供する。
【００１１】
本開示の端末装置は、第１のウェブサイトを提供するサーバ装置と通信する端末装置であって、前記第１のウェブサイトへの投稿画像を第１のユーザに指定させる第１のウェブページ情報を前記サーバ装置から受信する情報受信部と、前記受信した第１のウェブページ情報を記憶する記憶部と、前記記憶部から前記第１のウェブページ情報を読み出して画面に表示する情報処理部と、を有し、前記画面には、前記第１のウェブサイトへの投稿画像の候補である複数の画像のうち、第２のウェブサイトで使用されている画像に基づいて選択された画像が、他の画像よりも画面中央に表示または前記選択された画像が前記他の画像とは異なる態様で表示される。
【００１２】
このような構成とすることにより、第１のウェブサイトへの画像の投稿において、第１のユーザの情報開示志向に応じたプライバシーの保護を実現できる。
【００１３】
本開示の端末装置は、前記画面には、異なる角度で撮影された前記第１のユーザの複数の頭部画像が表示され、かつ、前記複数の頭部画像のうち、前記第２のウェブサイトで使用されている前記第１のユーザの頭部画像に基づいて選択された頭部画像が、他の頭部画像よりも画面中央に表示または前記選択された頭部画像が前記他の頭部画像とは異なる態様で表示される。
【００１４】
このような構成とすることにより、前記第２のウェブサイトで使用されている第１のユーザの頭部画像に基づいて第１のユーザの情報開示志向を認識できるので、第１のウェブサイトへの画像の投稿において、第１のユーザの情報開示志向に沿った画像を他の画像に比べて目立つように表示できる。
【００１５】
本開示の端末装置は、前記画面には、前記選択された頭部画像が、前記他の頭部画像よりも拡大され、かつ、前記画面中央に表示される。
【００１６】
このような構成とすることにより、前記第２のウェブサイトで使用されている第１のユーザの頭部画像に基づいて第１のユーザの情報開示志向を認識できるので、第１のウェブサイトへの画像の投稿において、第１のユーザの情報開示志向に沿った画像を他の画像に比べて目立つように表示できる。
【００１７】
本開示の端末装置は、前記選択された画像が前記他の画像とは異なる態様で表示されるとは、前記選択された画像が、前記他の画像よりも拡大されて表示される、前記選択された画像の周囲を囲う線が表示される、前記選択された画像が点滅して表示される、のいずれかである。
【００１８】
このような構成とすることにより、前記第２のウェブサイトで使用されている第１のユーザの画像に基づいて第１のユーザの情報開示志向を認識できるので、第１のウェブサイトへの画像の投稿において、複数の投稿画像の候補のうち、第１のユーザの情報開示志向に沿った画像を他の画像に比べて目立つように表示できる。
【００１９】
本開示の端末装置は、前記第１のウェブページ情報は、前記第１のユーザにより予め指定された、前記第１のウェブサイトへの投稿画像の公開範囲ごとに別々に前記画面に表示される。
【００２０】
このような構成とすることにより、前記第１のユーザにより予め指定された公開範囲に投稿画像を公開できる。
【００２１】
本開示の端末装置は、前記情報受信部は、前記第１のユーザを公開範囲に含む第２のユーザの投稿画像を含む第２のウェブページ情報を前記サーバ装置から受信し、前記情報処理部は、前記第２のウェブページ情報を前記記憶部に記憶した後、前記記憶部から前記第２のウェブページ情報を読み出して前記画面に表示し、前記画面には、前記投稿画像が表示され、かつ、前記投稿画像に対して前記第１のユーザが意思表示を示す情報を入力できる入力用ボタンが表示される。
【００２２】
このような構成とすることにより、第２のユーザの投稿画像に対する前記第１のユーザが意思表示を示す情報を入力できる。
【００２３】
本開示の端末装置は、前記記憶部は、メモリを含み、前記情報受信部および情報処理部のいずれかは、プロセッサを含む。
【００２４】
本開示のサーバ装置は、第１のウェブサイトを端末装置に提供するサーバ装置であって、前記第１のウェブサイトへの投稿画像の候補である複数の画像と、前記第１のウェブサイトへの投稿画像を公開する範囲として第１のユーザにより指定された第１の公開範囲とを前記端末装置から受信し、第２のウェブサイトに投稿されている画像と、当該画像が公開されている範囲である第２の公開範囲とを前記第２のウェブサイトを提供する第２のサーバ装置から受信する情報受信部と、前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択し、当該選択した画像が他の画像よりも画面中央に表示または前記選択した画像が前記他の画像とは異なる態様で表示されるウェブページ情報を生成する情報生成部と、前記ウェブページ情報を前記端末装置へ送信する情報送信部と、を具備する。
【００２５】
第１の公開範囲が第２の公開範囲に含まれる場合、第１のユーザは、第１の公開範囲に含まれるユーザに対し、第２の公開範囲に含まれるユーザと同程度またはそれ以上に投稿画像を開示したいと判断できる。
【００２６】
このような構成とすることにより、第１の公開範囲が第２の公開範囲に含まれる場合、第１のウェブサイトへの投稿画像の候補である複数の画像のうち、第１のユーザが第２のウェブサイトに投稿している画像のうち、第２のウェブサイトに投稿されている画像と撮影角度が同じかまたはより画像の内容が認識しやすい撮影角度の画像を目立つように表示するウェブページ情報を生成することができる。
【００２７】
本開示のサーバ装置は、前記情報受信部は、前記第１のウェブサイトへの投稿画像として異なる角度で撮影された第１のユーザの複数の頭部画像と、前記第１の公開範囲とを前記端末装置から受信し、前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、前記情報生成部は、前記第１の公開範囲が前記第２の公開範囲に含まれる場合、前記複数の頭部画像のうち、前記第２のウェブサイトに投稿されている前記第１のユーザの頭部画像と撮影角度が同じかまたは前記第１のユーザの顔がより認識しやすい撮影角度の頭部画像を選択し、当該選択した頭部画像が他の頭部画像よりも画面中央に表示または前記選択した頭部画像が前記他の頭部画像とは異なる態様で表示される前記ウェブページ情報を生成する。
【００２８】
第１の公開範囲が第２の公開範囲に含まれる場合、第１のユーザは、第１の公開範囲に含まれるユーザに対し、第２の公開範囲に含まれるユーザと同程度またはそれ以上の投稿画像（第１のユーザであることがより認識できる画像）を開示したいと判断できる。
【００２９】
このような構成とすることにより、第１の公開範囲が第２の公開範囲に含まれる場合、第１のウェブサイトへの投稿画像の候補である第１のユーザの複数の頭部画像のうち、第１のユーザが第２のウェブサイトに投稿している自身の頭部画像の撮影角度が同じかまたは第１のユーザの顔がより認識しやすい撮影角度の頭部画像を目立つように表示するウェブページ情報を生成することができる。
【００３０】
本開示のサーバ装置は、前記情報受信部は、前記第１のウェブサイトへの投稿画像として異なる角度で撮影された第１のユーザの複数の頭部画像と、前記第１の公開範囲とを前記端末装置から受信し、前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、前記情報生成部は、前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択し、当該選択した頭部画像が他の頭部画像よりも画面中央に表示または前記選択した頭部画像が前記他の頭部画像とは異なる態様で表示される前記ウェブページ情報を生成する。
【００３１】
第１の公開範囲が第２の公開範囲よりも広い場合、第１のユーザは、第１の公開範囲に含まれるユーザに対し、第２の公開範囲に含まれるユーザへ開示する情報（第１のユーザ自身の画像）よりも、より少ない情報（第１のユーザであることがより認識しにくい画像）の開示を望んでいると判断できる。
【００３２】
よって、第１の公開範囲が前記第２の公開範囲よりも広い場合、第１のウェブサイトへの投稿画像として異なる角度で撮影された第１のユーザの複数の頭部画像のうち、第２のウェブサイトに投稿されている第１のユーザの頭部画像の撮影角度よりも第１のユーザの顔が認識しにくい撮影角度の頭部画像を目立つように表示するウェブページ情報を生成することができる。
【００３３】
本開示のサーバ装置は、前記情報受信部、情報生成部、情報送信部のうちの少なくとも１つはプロセッサを含む。
【００３４】
本開示の情報投稿支援方法は、第１のウェブサイトを端末装置に提供する情報投稿支援システムにおける情報投稿支援方法であって、前記情報投稿支援システムのコンピュータに対し、前記第１のウェブサイトへの投稿画像の候補である複数の画像と、前記第１のウェブサイトへの投稿画像を公開する範囲として第１のユーザにより指定された第１の公開範囲とを前記端末装置から受信する処理と、第２のウェブサイトに投稿されている画像と、当該画像が公開されている範囲である第２の公開範囲とを前記第２のウェブサイトを提供する第２のサーバ装置から受信する処理と、前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択する処理と、前記選択で選択された画像が他の画像よりも画面中央に表示または前記選択した頭部画像が前記他の頭部画像とは異なる態様で表示されるウェブページ情報を生成する処理と、前記ウェブページ情報を前記端末装置へ送信する処理とを実行させる。
【００３５】
第１の公開範囲が第２の公開範囲に含まれる場合、第１のユーザは、第１の公開範囲に含まれるユーザに対し、第２の公開範囲に含まれるユーザと同程度またはそれ以上に投稿画像を開示したいと判断できる。
【００３６】
このような構成とすることにより、第１の公開範囲が第２の公開範囲に含まれる場合、第１のウェブサイトへの投稿画像の候補である複数の画像のうち、第１のユーザが第２のウェブサイトに投稿している画像のうち、第２のウェブサイトに投稿されている画像と撮影角度が同じかまたはより画像の内容が認識しやすい撮影角度の画像を目立つよう、端末装置に表示させることができる。
【００３７】
本開示の情報投稿支援方法は、前記端末装置から受信する処理は、前記第１のウェブサイトへの投稿画像として異なる角度で撮影された第１のユーザの複数の頭部画像と、前記第１の公開範囲とを前記端末装置から受信し、前記第２のサーバ装置から受信する処理は、前記第２のウェブサイトに投稿されている前記第１のユーザの頭部画像と、前記第１のユーザの頭部画像が公開されている範囲である前記第２の公開範囲とを前記第２のウェブサイトを提供する前記第２のサーバ装置から受信し、前記選択する処理は、前記第１の公開範囲が前記第２の公開範囲に含まれる場合、前記複数の頭部画像のうち、前記第２のウェブサイトに投稿されている前記第１のユーザの頭部画像と撮影角度が同じかまたは前記第１のユーザの顔がより認識しやすい撮影角度の頭部画像を選択し、前記生成する処理は、前記選択で選択された頭部画像が他の頭部画像よりも画面中央に表示または前記選択した頭部画像が前記他の頭部画像とは異なる態様で表示される前記ウェブページ情報を生成する。
【００３８】
第１の公開範囲が第２の公開範囲に含まれる場合、第１のユーザは、第１の公開範囲に含まれるユーザに対し、第２の公開範囲に含まれるユーザと同程度またはそれ以上の投稿画像（第１のユーザであることがより認識できる画像）を開示したいと判断できる。
【００３９】
このような構成とすることにより、第１の公開範囲が第２の公開範囲に含まれる場合、第１のウェブサイトへの投稿画像の候補である第１のユーザの複数の頭部画像のうち、第１のユーザが第２のウェブサイトに投稿している自身の頭部画像の撮影角度が同じかまたは第１のユーザの顔がより認識しやすい撮影角度の頭部画像を目立つよう、端末装置に表示させることができる。
【００４０】
本開示の情報投稿支援方法は、前記端末装置から受信する処理は、前記第１のウェブサイトへの投稿画像として異なる角度で撮影された第１のユーザの複数の頭部画像と、前記第１の公開範囲とを前記端末装置から受信し、前記第２のサーバ装置から受信する処理は、前記第２のウェブサイトに投稿されている前記第１のユーザの頭部画像と、当該第１のユーザの頭部画像が公開されている範囲である前記第２の公開範囲とを前記第２のウェブサイトを提供する前記第２のサーバ装置から受信し、前記選択する処理は、前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択し、前記生成する処理は、前記選択で選択された頭部画像が他の頭部画像よりも画面中央に表示または前記選択した頭部画像が前記他の頭部画像とは異なる態様で表示される前記ウェブページ情報を生成する。
【００４１】
第１の公開範囲が第２の公開範囲よりも広い場合、第１のユーザは、第１の公開範囲に含まれるユーザに対し、第２の公開範囲に含まれるユーザへ開示する情報（第１のユーザ自身の画像）よりも、より少ない情報（第１のユーザであることがより認識しにくい画像）の開示を望んでいると判断できる。
【００４２】
よって、第１の公開範囲が前記第２の公開範囲よりも広い場合、第１のウェブサイトへの投稿画像として異なる角度で撮影された第１のユーザの複数の頭部画像のうち、第２のウェブサイトに投稿されている第１のユーザの頭部画像の撮影角度よりも第１のユーザの顔が認識しにくい撮影角度の頭部画像を目立つよう、端末装置に表示させることができる。
【００４３】
本開示の情報投稿支援方法は、前記受信する処理、前記選択する処理および前記送信する処理のうちの少なくとも１つはプロセッサを用いて行われる。
【００４４】
本開示のコンピュータプログラムは、第１のウェブサイトを端末装置に提供するコンピュータに実行させるコンピュータプログラムであって、前記コンピュータに対し、前記第１のウェブサイトへの投稿画像の候補である複数の画像と、前記第１のウェブサイトへの投稿画像を公開する範囲として第１のユーザにより指定された第１の公開範囲とを前記端末装置から受信する処理と、第２のウェブサイトに投稿されている画像と、当該画像が公開されている範囲である第２の公開範囲とを前記第２のウェブサイトを提供する第２のサーバ装置から受信する処理と、前記第１の公開範囲が前記第２の公開範囲に含まれる場合、前記複数の画像のうち、前記第２のウェブサイトに投稿されている画像と撮影角度が同じかまたはより画像の内容が認識しやすい撮影角度の画像を選択する処理と、前記選択処理で選択された画像が他の画像よりも画面中央に表示または前記選択した画像が前記他の画像とは異なる態様で表示されるウェブページ情報を生成する処理と、前記ウェブページ情報を前記端末装置へ送信する処理と、を実行させる。
【００４５】
第１の公開範囲が第２の公開範囲に含まれる場合、第１のユーザは、第１の公開範囲に含まれるユーザに対し、第２の公開範囲に含まれるユーザと同程度またはそれ以上に投稿画像を開示したいと判断できる。
【００４６】
このような構成とすることにより、第１の公開範囲が第２の公開範囲に含まれる場合、第１のウェブサイトへの投稿画像の候補である複数の画像のうち、第１のユーザが第２のウェブサイトに投稿している画像のうち、第２のウェブサイトに投稿されている画像と撮影角度が同じかまたはより画像の内容が認識しやすい撮影角度の画像を目立つよう、端末装置に表示させることができる。
【００４７】
本開示のコンピュータプログラムは、前記端末装置から受信する処理は、前記第１のウェブサイトへの投稿画像として異なる角度で撮影された第１のユーザの複数の頭部画像と、前記第１の公開範囲とを前記端末装置から受信する処理であり、前記第２のサーバ装置から受信する処理は、前記第２のウェブサイトに投稿されている画像と、当該画像が公開されている範囲である前記第２の公開範囲とを前記第２のウェブサイトを提供する前記第２のサーバ装置から受信する処理であり、前記選択処理は、前記第１の公開範囲が前記第２の公開範囲に含まれる場合、前記複数の頭部画像のうち、前記第２のウェブサイトに投稿されている前記第１のユーザの頭部画像と撮影角度が同じかまたはより第１のユーザの顔が認識しやすい撮影角度の頭部画像を選択する処理であり、前記生成する処理は、前記選択処理で選択された頭部画像が他の頭部画像よりも画面中央に表示または前記選択した頭部画像が前記他の頭部画像とは異なる態様で表示される前記ウェブページ情報を生成する処理である。
【００４８】
第１の公開範囲が第２の公開範囲に含まれる場合、第１のユーザは、第１の公開範囲に含まれるユーザに対し、第２の公開範囲に含まれるユーザと同程度またはそれ以上の投稿画像（第１のユーザであることがより認識できる画像）を開示したいと判断できる。
【００４９】
このような構成とすることにより、第１の公開範囲が第２の公開範囲に含まれる場合、第１のウェブサイトへの投稿画像の候補である第１のユーザの複数の頭部画像のうち、第１のユーザが第２のウェブサイトに投稿している自身の頭部画像の撮影角度が同じかまたは第１のユーザの顔がより認識しやすい撮影角度の頭部画像を目立つよう、端末装置に表示させることができる。
【００５０】
本開示のコンピュータプログラムは、前記端末装置から受信する処理は、前記第１のウェブサイトへの投稿画像として異なる角度で撮影された第１のユーザの複数の頭部画像と、前記第１の公開範囲とを前記端末装置から受信し、前記第２のサーバ装置から受信する処理は、前記第２のウェブサイトに投稿されている画像と、当該画像が公開されている範囲である前記第２の公開範囲とを前記第２のウェブサイトを提供する前記第２のサーバ装置から受信し、前記選択する処理は、前記第１の公開範囲が前記第２の公開範囲よりも広い場合、前記複数の頭部画像のうち、前記第２のウェブサイトに投稿されている前記第１のユーザの頭部画像の撮影角度よりも前記第１のユーザの顔が認識しにくい撮影角度の頭部画像を選択する処理であり、前記生成する処理は、前記選択で選択された頭部画像が他の頭部画像よりも画面中央に表示または前記選択した頭部画像が前記他の頭部画像とは異なる態様で表示される前記ウェブページ情報を生成する処理である。
【００５１】
第１の公開範囲が第２の公開範囲よりも広い場合、第１のユーザは、第１の公開範囲に含まれるユーザに対し、第２の公開範囲に含まれるユーザへ開示する情報（第１のユーザ自身の画像）よりも、より少ない情報（第１のユーザであることがより認識しにくい画像）の開示を望んでいると判断できる。
【００５２】
よって、第１の公開範囲が前記第２の公開範囲よりも広い場合、第１のウェブサイトへの投稿画像として異なる角度で撮影された第１のユーザの複数の頭部画像のうち、第２のウェブサイトに投稿されている第１のユーザの頭部画像の撮影角度よりも第１のユーザの顔が認識しにくい撮影角度の頭部画像を目立つよう、端末装置に表示させることができる。
【００５３】
以下、本開示の実施の形態について、図面を参照して詳細に説明する。
なお、以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００５４】
＜提供するサービスの全体像＞
図１Ａ、図１Ｂ、図１Ｃは、本実施の形態１、２における情報投稿支援システムの概要について説明する図である。図１Ａには、本実施の形態１、２における情報投稿支援システムの全体像が示されている。
【００５５】
グループ１０は、例えば企業、団体、家庭等であり、その規模を問わない。グループ１０の例として、ヘアサロンが挙げられる。グループ１０には、複数の機器１０ａ（例えば、後述する機器１００）である機器Ａ、機器Ｂおよびホームゲートウェイ１０ｂが存在する。
【００５６】
複数の機器１０ａは、インターネットと接続可能な機器（例えば、スマートフォン、タブレット、ＰＣ、ＴＶ等）である。ただし、複数の機器１０ａは、それ自身ではインターネットと接続不可能な機器であっても、ホームゲートウェイ１０ｂを介してインターネットと接続可能となるものであればよい。またグループ１０には複数の機器１０ａを使用するユーザ１が存在する。ユーザ１は、例えば、ヘアサロンの従業員または顧客である。
【００５７】
データセンタ運営会社１１には、クラウドサーバ１１ａが存在する。クラウドサーバ１１ａとはインターネットを介して様々な機器と連携する仮想化サーバである。データセンタ運営会社１１は、データ管理やクラウドサーバ１１ａの管理、それらを行うデータセンタの運営等を行っている。データセンタ運営会社１１が行っている役務については詳細を後述する。
【００５８】
ここで、データセンタ運営会社１１は、データ管理またはクラウドサーバ１１ａの運営等のみを行っている会社に限らない。例えば複数の機器１０ａのうちの一つの機器を開発・製造している機器メーカが、併せてデータ管理やクラウドサーバ１１ａの管理等を行っている場合は、機器メーカがデータセンタ運営会社１１に該当する（図１Ｂ参照）。
【００５９】
また、データセンタ運営会社１１は一つの会社に限らない。例えば機器メーカおよび他の管理会社が共同もしくは分担してデータ管理やクラウドサーバ１１ａの運営を行っている場合は、両者もしくはいずれか一方がデータセンタ運営会社１１に該当するものとする（図１Ｃ参照）。
【００６０】
サービスプロバイダ１２は、サーバ１２ａ（例えば、後述するサーバ装置２００）を保有している。
【００６１】
なお、上記サービスにおいてホームゲートウェイ１０ｂは必須ではない。例えば、クラウドサーバ１１ａが全てのデータ管理を行っている場合等は、ホームゲートウェイ１０ｂは不要となる。また、グループ１０内のあらゆる機器がインターネットに接続されている場合のように、それ自身ではインターネットと接続不可能な機器は存在しない場合もある。
【００６２】
次に、上記サービスにおける情報の流れを説明する。まず、グループ１０の機器Ａまたは機器Ｂは、それぞれ、登録情報（例えば、後述する事前登録情報および第１〜第４の登録情報）をデータセンタ運営会社１１のクラウドサーバ１１ａに送信する。クラウドサーバ１１ａは、機器Ａまたは機器Ｂの登録情報を集積する（図１Ａ（ａ））。
【００６３】
なお、登録情報は、インターネットを介して複数の機器１０ａ自体から直接クラウドサーバ１１ａに提供される場合もある。または、登録情報は、複数の機器１０ａから一旦ホームゲートウェイ１０ｂに情報が集積され、ホームゲートウェイ１０ｂからクラウドサーバ１１ａに提供されてもよい。
【００６４】
次に、データセンタ運営会社１１のクラウドサーバ１１ａは、集積した登録情報を一定の単位でサービスプロバイダ１２に提供する。ここで、一定の単位は、データセンタ運営会社が集積した登録情報を整理してサービスプロバイダ１２に提供することのできる単位でもいいし、サービスプロバイダ１２が要求した単位でもいい。一定の単位と記載したが一定でなくてもよく、状況に応じて提供する情報量が変化する場合もある。
【００６５】
上述した登録情報は、必要に応じてサービスプロバイダ１２が保有するサーバ１２ａに保存される（図１Ａ（ｂ））。そして、サービスプロバイダ１２は、登録情報をユーザに提供するサービスに適合する提示情報（例えば、後述する第１〜第３の提示情報）に整理し、ユーザに提供する。提供するユーザは、複数の機器１０ａを使用するユーザ１でもよいし、グループ１０の外部のユーザ２でもよい。
【００６６】
ユーザへのサービス提供方法は、例えば、サービスプロバイダ１２から直接ユーザへ提供されてもよい（図１Ａ（ｆ）、（ｅ））。また、ユーザへのサービス提供方法は、例えば、データセンタ運営会社１１のクラウドサーバ１１ａを再度経由して、ユーザに提供されてもよい（図１Ａ（ｃ）、（ｄ））。また、データセンタ運営会社１１のクラウドサーバ１１ａが登録情報をユーザに提供するサービスに適合する情報に整理し、サービスプロバイダ１２に提供してもよい。
【００６７】
なお、ユーザ１とユーザ２とは、別でも同一でもよい。
【００６８】
＜実施の形態１の構成＞
図２は、本開示の実施の形態１に係る情報投稿支援システムの構成の一例を示すブロック図である。図２に示すように、この情報投稿支援システムは、機器１００（本開示の端末装置の一例）、ＳＮＳ（Social Networking Service）サーバ装置２００ａ、およびサーバ装置２００（本開示のサーバ装置の一例）を有する。
【００６９】
図２において、機器１００と、ＳＮＳサーバ装置２００ａ、サーバ装置２００は、ネットワーク３００を介して接続される。ネットワーク３００は、無線ネットワークでもよいし、有線ネットワークでもよいし、有線ネットワークと無線ネットワークとが混在したネットワークでもよい。
【００７０】
なお、図２には、機器１００が１台しか示されていないが、２台以上であってもよい。
【００７１】
まず、機器１００の構成について説明する。
【００７２】
機器１００は、サーバ装置２００により提供される情報投稿サービスを利用可能な情報処理装置であり、例えば、スマートフォン、タブレット、ＰＣ、ＴＶなどである。タブレットとしては、例えば、ヘアサロンにおいて業務用として用いられる大画面のタブレット（例えば、４Ｋタブレット）が挙げられる。なお、情報投稿サービスの利用とは、髪型評価サイトの閲覧、および、髪型評価サイトへの投稿を意味する。
【００７３】
髪型評価サイトとは、ユーザの髪型、その施術を行ったスタイリスト、そのスタイリストが所属するヘアサロンなどを評価対象とし、それらの口コミ情報の収集、開示が行われるウェブサイト（第１のウェブサイト）である。この髪型評価サイトでは、施術を受けていない第３者も他人の投稿（例えば、髪型の画像）に対して評価を行えるため、評価に際して実際の利用が必要な飲食店評価サイトまたは商品評価サイトに比べて、投稿コンテンツ（例えば、投稿された画像、投稿されたコメントなど）の拡充を実現できるというメリットがある。
【００７４】
機器１００は、入力部１０１、通知部１０２、記憶部１０３、情報送受信部１０４、情報処理部１０５を備える。
【００７５】
入力部１０１は、ボタン、タッチパネルなどの入力デバイスである。
【００７６】
通知部１０２は、ディスプレイなどの表示デバイス、スピーカなどの出力デバイスである。
【００７７】
記憶部１０３は、メモリ、ハードディスク装置などの記憶デバイスである。
【００７８】
例えば、記憶部１０３は、機器１００のユーザ（第１のユーザ）のＩＤ（以下、ユーザＩＤという）を記憶する。このユーザＩＤは、第１の登録情報の一部として、髪型画像とともにサーバ装置２００に送信され、記憶部２０３に記憶される。髪型画像とは、例えば、施術後の髪型を含むユーザの頭部を所定の角度から撮影した写真である。
【００７９】
また、例えば、記憶部１０３は、サーバ装置２００から受信した提示情報を記憶する。提示情報とは、髪型評価サイトの一部を構成するウェブページ（ウェブページ情報ともいう）。である。提示情報とは、例えばユーザによって行われる画像の投稿を支援するウェブページを構成する画像情報である。提示情報は、通知部１０２であるディスプレイに表示される。この表示例については、図５、図６Ａおよび図６Ｂを用いて後述する。
【００８０】
情報送受信部１０４は、他の装置に情報を送信し、また、他の装置により送信された情報を受信する通信インターフェース部である。
【００８１】
例えば、情報送受信部１０４は、登録情報をサーバ装置２００へ送信する。登録情報とは、情報投稿サービスを利用するために必要な情報である。この情報の詳細は、図３を用いて後述する。
【００８２】
また、例えば、情報送受信部１０４は、提示情報をサーバ装置２００から受信する。
【００８３】
情報処理部１０５は、種々の情報処理を実行するプロセッサなどの制御デバイスである。
【００８４】
例えば、情報処理部１０５は、所定の装置（例えば、ヘアサロンで使用されているカメラ）から取得した髪型画像を第１の登録情報として、情報送受信部１０４にサーバ装置２００へ送信させる。
【００８５】
また、例えば、情報処理部１０５は、サーバ装置２００から受信した第１の提示情報または第２の提示情報を記憶部１０３に記憶する。そして、情報処理部１０５は、記憶部１０３から第１の提示情報または第２の提示情報を読み出し、通知部１０２に表示させる。第１の提示情報とは、投稿する髪型画像の公開範囲をユーザに指定（選択）させるウェブページ情報を構成する画像情報である（図５参照）。また、第２の提示情報とは、投稿する髪型画像をユーザに指定（選択）させるウェブページ（第１のウェブページ情報）を構成する画像情報である（図６Ａ、図６Ｂ参照）。
【００８６】
また、例えば、情報処理部１０５は、第１の提示情報の提示後、投稿する髪型画像の公開範囲の指定を入力部１０１より受け付けると、その公開範囲を第２の登録情報として、情報送受信部１０４にサーバ装置２００へ送信させる。公開範囲は、例えば、「全体（全ユーザ）」、「親しい友達」、「知り合い」などのように、予め複数のカテゴリが用意されているとする。
【００８７】
また、例えば、情報処理部１０５は、第２の提示情報の提示後、投稿する髪型画像（以下、投稿画像という）およびその髪型画像についてのコメント（以下、投稿コメントという）の指定を入力部１０１より受け付けると、その投稿画像、投稿コメントおよび投稿日時を第３の登録情報として、情報送受信部１０４にサーバ装置２００へ送信させる。投稿コメントとは、投稿画像を投稿するユーザ自身のコメントであり、その内容は、例えば、髪型、施術、スタイリスト、ヘアサロンなどについての感想である。投稿日時とは、投稿画像および投稿コメントが投稿される日時（年、月、日、時刻）である。
【００８８】
以上、機器１００の構成について説明した。
【００８９】
次に、サーバ装置２００の構成について説明する。
【００９０】
サーバ装置２００は、機器１００に対して情報投稿サービスを提供する情報処理装置である。
【００９１】
サーバ装置２００は、情報送受信部２０１、情報登録部２０２、記憶部２０３、情報生成部２０４を備える。
【００９２】
情報送受信部２０１は、他の装置に情報を送信し、また、他の装置により送信された情報を受信する通信インターフェース部である。
【００９３】
例えば、情報送受信部２０１は、機器１００から送信された登録情報を受信する。
【００９４】
また、例えば、情報送受信部２０１は、提示情報を機器１００に送信する。
【００９５】
情報登録部２０２は、情報送受信部２０１で受信された登録情報を記憶部２０３に登録するプロセッサなどの制御デバイスである。
【００９６】
例えば、情報登録部２０２は、記憶部２０３へ登録情報の登録を行った場合、その旨を情報生成部２０４へ通知する。
【００９７】
記憶部２０３は、メモリ、ハードディスク装置などの記憶デバイスである。
【００９８】
記憶部２０３は、情報登録部２０２により登録された登録情報を、データテーブルにより対応付けて記憶する。
【００９９】
ここで、上記データテーブルについて、図３を用いて説明する。図３は、記憶部２０３に記憶されるデータテーブルの一例である。
【０１００】
図３に示すように、データテーブルは、フィールドａ〜ｅを含む。フィールドａは事前登録情報であり、フィールドｂは第１の登録情報であり、フィールドｃは第２の登録情報であり、フィールドｄは第３の登録情報であり、フィールドｅは第４の登録情報である。
【０１０１】
フィールドａに示す事前登録情報は、ユーザＩＤ、親しい友達ＩＤ、知り合いＩＤの各情報を含む。ユーザＩＤは、機器を利用するユーザであって、この機器を用いて情報投稿サービスを利用可能なユーザのＩＤである。例えば、１のユーザＩＤに対応するユーザが、機器１００を利用し、他の１のユーザＩＤに対応するユーザが他の機器（図示せず）を利用する。または、複数のユーザが機器１００を利用しても良い。
また、ユーザＩＤが示すユーザは、投稿画像および投稿コメントを投稿するユーザ（投稿者）である。親しい友達ＩＤは、ユーザＩＤが示すユーザが親しい友達とみなして登録した他のユーザのＩＤである。知り合いＩＤは、ユーザＩＤが示すユーザが知り合いとみなして登録した他のユーザのＩＤである。親しい友達および知り合いは、公開範囲のカテゴリである。よって、親しい友達と知り合いとでは、ユーザＩＤが示すユーザが投稿する情報（すなわち、投稿画像および投稿コメント）の公開範囲が異なる。例えば、親しい友達は、知り合いよりも公開範囲が狭い（公開される情報量が多い）。なお、図３の例では、親しい友達ＩＤが２つ、知り合いＩＤが３つ登録されているが、各登録数はそれら以上であってもそれら以下であってもよい。
【０１０２】
以上説明した事前登録情報は、例えば、投稿前に、ユーザが機器１００の入力部１０１において入力する。そして、事前登録情報は、機器１００からサーバ装置２００へ送信され、図３に示すように記憶部２０３に登録される。
【０１０３】
フィールドｂに示す第１の登録情報は、サロンＩＤ、スタイリストＩＤ、髪型画像の各情報を含む。サロンＩＤは、ユーザＩＤが示すユーザが利用したヘアサロンのＩＤ（店名であってもよい）である。スタイリストＩＤは、ヘアサロンＩＤが示すヘアサロンに所属し、ユーザＩＤが示すユーザに対して施術（例えば、ヘアカット）を行ったスタイリストのＩＤ（スタイリスト名であってもよい）である。髪型画像は、上述したとおり、ユーザＩＤが示すユーザの施術後の髪型を示す画像である。
【０１０４】
この髪型画像は、例えば、ヘアサロンに設置された、ユーザの頭部を任意の角度から撮影可能なカメラによって撮影された写真である。本実施の形態では、例えば、真正面、右斜め４５度、左斜め４５度、右真横、左真横、真後ろなど、複数の角度で撮影された複数の髪型画像が登録されるとする。これら髪型画像の撮影角度は、後述の情報生成部２０４において識別される。なお、図３の例では、髪型画像のデータ形式をＪＰＥＧとしたが、これに限定されない。
【０１０５】
フィールドｃに示す第２の登録情報は、公開範囲の情報を含む。公開範囲は、ユーザＩＤが示すユーザが投稿する投稿画像および投稿コメントが公開される公開範囲である。公開範囲は、例えば、「全体（全ユーザ）」、「知り合い」、「親しい友達」、「自分のみ」といったカテゴリに分けられる。この場合、カテゴリが「全体」、「知り合い」、「親しい友達」、「自分のみ」の順に公開範囲が狭くなる。
また、カテゴリが「全体」、「知り合い」、「親しい友達」、「自分のみ」の順に公開範囲において公開される情報量が増える。
【０１０６】
なお、上記４つのカテゴリに対して、「全登録サロン」および「このサロンのみ」といったカテゴリを追加してもよい。前者の「全登録サロン」とは、図３のデータテーブルとは別に、予め記憶部１０３にＩＤが登録された全てのヘアサロン（すなわち、情報投稿サービスを利用可能な全てのヘアサロン）を意味する。後者の「このサロン」とは、図３のサロンＩＤが示すヘアサロン（すなわち、ユーザＩＤが示すユーザに施術を行ったヘアサロン）を意味する。よって、「全登録サロン」よりも「このサロンのみ」の方が公開範囲は狭くなる。これら２つのカテゴリは、上記４つのカテゴリと重複して指定（選択）可能であってもよい。例えば、「このサロンのみ」と「親しい友達」とが重複して指定されてもよい。
【０１０７】
フィールドｄに示す第３の登録情報は、投稿画像、投稿コメント、投稿日時の各情報を含む。投稿画像は、ユーザのＩＤが示すユーザによってフィールドｂの髪型画像の中から投稿対象として選択された画像である。なお、図３の例では、投稿画像が１つだけ登録される例としたが、撮影角度の異なる複数の画像が登録されてもよい。投稿コメントは、例えば、ユーザのＩＤが示すユーザによって入力された投稿画像についてのコメントを示すテキストデータである。なお、図３の例では、テキストのデータ形式をＨＴＭＬとしたが、これに限定されない。投稿日時は、投稿画像および投稿コメントが投稿された日時を示す情報である。
【０１０８】
フィールドｅに示す第４の登録情報は、他人のコメント、評価の各情報を含む。他人のコメントは、例えば、投稿画像および投稿コメントに対して、投稿者以外のユーザが投稿するコメントを示すテキストデータである。他人のコメントの内容は、例えば、髪型、ヘアサロン、スタイリストについての感想、または、投稿したユーザに対する質問などである。評価は、簡易投稿操作が行われた回数を示す値である。簡易投稿操作とは、投稿画像および投稿コメントに対して好印象である旨を表すために、投稿者以外のユーザが行う簡易的な操作（例えば、図１０の評価入力ボタン３３に対する操作）である。図３の例では、デフォルト値として、「他人のコメント」には「−（ハイフン）」、「評価」には「０（ゼロ）」が登録されている。
【０１０９】
なお、第４の登録情報は、後述の実施の形態２で使用されるため、その使用の詳細は後述する。
【０１１０】
上述したフィールドａ〜ｅに示す各登録情報は、機器１００においてユーザ（第１のユーザ）により適宜入力され、機器１００からサーバ装置２００へ送信される。このとき、各登録情報は、ユーザＩＤとともにサーバ装置２００へ送信される。そして、記憶部２０３において、図３に示すように記憶（登録）される。
【０１１１】
このようにして記憶部２０３に記憶されたデータテーブルは、情報生成部２０４による第２の提示情報の生成に用いられる。
【０１１２】
以上、記憶部２０３のデータテーブルの一例について説明した。
【０１１３】
また、記憶部２０３は、第１の提示情報および第２の提示情報それぞれのテンプレートデータ（ウェブページを構成する画像情報）を記憶している。
【０１１４】
情報生成部２０４は、機器１００へ送信する提示情報の読み出し、生成を行うプロセッサなどの制御デバイスである。
【０１１５】
例えば、情報生成部２０４は、記憶部２０３へ第１の登録情報の登録が行われた旨の通知を情報登録部２０２から受けると、記憶部２０３から第１の提示情報のテンプレートデータを読み出す。そして情報生成部２０４は、情報送受信部２０１に読み出したテンプレートデータを機器１００へ送信させる。
【０１１６】
また、例えば、情報生成部２０４は、記憶部２０３へ第２の登録情報の登録が行われた旨の通知を情報登録部２０２から受けると、記憶部２０３から、第２の提示情報のテンプレートデータ、ユーザＩＤ、複数の髪型画像、公開範囲を読み出す。そして、情報生成部２０４は、情報送受信部２０１に読み出したユーザＩＤをＳＮＳサーバ装置２００ａへ送信させる。情報生成部２０４は、そのＳＮＳサーバ装置２００ａから上記ユーザＩＤに対応する公開情報を取得する。この公開情報とは、ＳＮＳサーバ装置２００ａが提供するＳＮＳサイト（第２のウェブサイト）に投稿され、そのＳＮＳサイトで使用（公開）されているユーザの画像（頭部の画像）とその公開範囲である。後述するが、この公開情報は、ユーザに推奨する髪型画像を自動的に決定するために用いられる。そして、情報生成部２０４は、第２の提示情報のテンプレートデータと、取得した公開情報と、読み出した複数の髪型画像および公開範囲とに基づいて、第２の提示情報を生成する。この生成の詳細は後述する。そして、情報生成部２０４は、情報送受信部２０１に生成した第２の提示情報を機器１００へ送信させる。
ＳＮＳサーバ装置２００ａは、例えば、少なくとも、サーバ装置２００からユーザＩＤを受信する情報送受信部、ユーザＩＤに対応する公開情報を記憶する記憶部、制御部を備える。制御部は、例えば、情報送受信部が受信したユーザＩＤに対応する公開情報を記憶部より取得する。制御部は、例えば、記憶部より取得したユーザＩＤに対応する公開情報を情報送受信部へ送る。情報送受信部は、例えば、ユーザＩＤに対応する公開情報をサーバ装置２００へ送信する。このように構成をすることにより、ＳＮＳサーバ装置２００ａは、サーバ装置２００から受信したユーザＩＤを受信したとき、受信したユーザＩＤに対応する公開情報をサーバ装置２００へ送信することができる。
なお、上述の例では、サーバ装置２００は、ユーザＩＤに対応する公開情報をＳＮＳサーバ装置２００ａから取得する構成を例に説明をしているが、必ずしもこれに限定をされるものではない。例えば、上述のユーザＩＤに対応する公開情報を管理し、サーバ装置２００から受信したユーザＩＤを受信したとき、受信したユーザＩＤに対応する公開情報をサーバ装置２００へ送信ことができるサーバ装置（図示せず）をＳＮＳサーバ装置２００ａの代わりに用いてもよい。
【０１１７】
以上、サーバ装置２００の構成について説明した。
【０１１８】
＜実施の形態１の動作＞
次に、本実施の形態に係る情報投稿支援システム（機器１００およびサーバ装置２００）の情報投稿支援処理の処理手順の一例について説明する。図４は、本実施の形態の情報投稿支援システムにおける情報投稿支援処理の処理手順の一例を示すフローチャートである。
【０１１９】
ステップＳ１０において、機器１００の情報送受信部１０４は、所定の装置から髪型画像を取得する。
【０１２０】
例えば、情報送受信部１０４は、ヘアサロンのカメラで撮影された複数の髪型画像を、無線通信または有線通信により、ヘアサロンのカメラから直接受信する、または、ヘアサロンのカメラと接続された中継装置（例えば、無線ＬＡＮルータ）を介して受信する。この複数の髪型画像には、サロンＩＤおよびスタイリストＩＤが付与されている。サロンＩＤおよびスタイリストＩＤは、例えば、撮影に用いられたカメラ、または、そのカメラと通信可能な中継装置などによって、各髪型画像に付与される。そして、情報処理部１０５は、情報送受信部１０４が受信した複数の髪型画像を、一旦記憶部１０３に記憶させる。
【０１２１】
ステップＳ１１において、情報処理部１０５は、情報送受信部１０４に第１の登録情報をサーバ装置２００へ送信させる。
【０１２２】
例えば、情報処理部１０５は、記憶部１０３からユーザＩＤおよび複数の髪型画像を読み出す。そして、情報処理部１０５は、複数の髪型画像、それに付与されているサロンＩＤおよびスタイリストＩＤを第１の登録情報とし、それにユーザＩＤを付与する。情報処理部１０５は、情報送受信部１０４にユーザＩＤを付与した第１の登録情報をサーバ装置２００へ送信させ。なお、第１の登録情報に付与されるユーザＩＤは、予め記憶部１０３に記憶されているとしたが、第１の登録情報の送信の際に入力部１０１において入力されてもよい。
【０１２３】
ステップＳ１２において、サーバ装置２００の情報送受信部２０１は、機器１００から送信された第１の登録情報を受信する。
【０１２４】
ステップＳ１３において、情報登録部２０２は、情報送受信部２０１が受信した第１の登録情報を記憶部２０３に登録する。
【０１２５】
例えば、図３において、予め事前登録情報（フィールドａ参照）が登録されているとする。情報登録部２０２は、事前登録情報のユーザＩＤに対応付けて第１の登録情報を登録する（フィールドｂ参照）。その後、情報登録部２０２は、第１の登録情報の登録を行った旨を示す情報（以下、第１の登録完了情報という）を情報生成部２０４へ出力する。
【０１２６】
ステップＳ１４において、情報生成部２０４は、情報送受信部２０１に第１の提示情報を機器１００へ送信させる。
【０１２７】
例えば、情報生成部２０４は、情報登録部２０２から第１の登録完了情報を入力すると、第１の提示情報のテンプレートデータ（以下、第１の提示情報という）を記憶部２０３から読み出す。そして、情報生成部２０４は、情報送受信部２０１に読み出した第１の提示情報をから機器１００へ送信させる。
【０１２８】
ステップＳ１５において、機器１００の情報送受信部１０４は、サーバ装置２００から送信された第１の提示情報を受信する。そして、情報処理部１０５は、情報送受信部１０４が受信した第１の提示情報を、一旦記憶部１０３に記憶させる。
【０１２９】
ステップＳ１６において、情報処理部１０５は、記憶部１０３から第１の提示情報を読み出し、通知部１０２に第１の提示情報を表示させ、公開範囲の指定を受け付ける。
【０１３０】
ここで、図５を用いて、機器１００における第１の提示情報の表示例について説明する。図５は、第１の提示情報の表示例を示す。
【０１３１】
図５に示すように、最上部には、公開範囲を選択するようにユーザに促すメッセージが表示される。そのメッセージの下部には、選択候補として、公開範囲の６つのカテゴリ（全体、親しい友達、知り合い、自分のみ、全登録サロン、このサロンのみ）が表示される。ユーザは、その表示を見て、入力部１０１において所望の公開範囲を指定する操作を行う。情報処理部１０５は、公開範囲の指定を受け付けると、それを一旦記憶部１０３に記憶させる。
【０１３２】
ステップＳ１７において、情報処理部１０５は、情報送受信部１０４に第２の登録情報をサーバ装置２００へ送信させる。
【０１３３】
例えば、情報処理部１０５は、記憶部１０３からユーザＩＤおよび指定された公開範囲を読み出す。そして、情報処理部１０５は、指定された公開範囲を第２の登録情報とし、それにユーザＩＤを付与する。情報処理部１０５は、情報送受信部１０４にユーザＩＤを付与した第２の登録情報をサーバ装置２００へ送信させる。なお、第２の登録情報に付与されるユーザＩＤは、第１の登録情報の送信のときと同様、予め記憶部１０３に記憶されているものでもよいし、第２の登録情報の送信の際に入力部１０１において入力されたものでもよい。
【０１３４】
ステップＳ１８において、サーバ装置２００の情報送受信部２０１は、機器１００から送信された第２の登録情報を受信する。
【０１３５】
ステップＳ１９において、情報登録部２０２は、情報送受信部２０１が受信した第２の登録情報を記憶部２０３に登録する。
【０１３６】
例えば、図３において、事前登録情報（フィールドａ参照）および第１の登録情報（フィールドｂ参照）が登録されているとする。情報登録部２０２は、事前登録情報のユーザＩＤに対応付けて第２の登録情報を登録する（フィールドｃ参照）。その後、情報登録部２０２は、第２の登録情報の登録を行った旨を示す情報（以下、第２の登録完了情報という）を情報生成部２０４へ出力する。
【０１３７】
ステップＳ２０において、情報生成部２０４は、情報送受信部２０１を介してＳＮＳサーバ装置２００ａから公開情報を取得する。
【０１３８】
例えば、情報生成部２０４は、情報登録部２０２から第２の登録完了情報を入力すると、記憶部２０３から、第２の提示情報のテンプレートデータ、ユーザＩＤ、複数の髪型画像、公開範囲を読み出す。そして、情報生成部２０４は、読み出したユーザＩＤを情報送受信部２０１に読み出したユーザＩＤをＳＮＳサーバ装置２００ａへ送信させる。ＳＮＳサーバ装置２００ａは、サーバ装置２００から受信したユーザＩＤと同じユーザＩＤに対応付けられている公開情報（例えばユーザの画像およびその公開範囲）を、サーバ装置２００へ送信する。ここでいう公開情報としてのユーザの画像は、ＳＮＳサイトにおけるユーザのプロフィールページの画像であってもよいし、他のユーザから好評価を受けた画像であってもよい。
【０１３９】
ステップＳ２１において、情報生成部２０４は、ＳＮＳサーバ装置２００ａから取得した公開情報と、記憶部２０３から読み出した、複数の髪型画像、公開範囲、および第２の提示情報を生成するためのテンプレートデータとに基づいて、第２の提示情報を生成する。
【０１４０】
ここで、第２の提示情報の生成処理の具体例について以下に説明する。
【０１４１】
まず、情報生成部２０４は、ＳＮＳサーバ装置２００ａから受信したユーザの画像に対して画像解析を行い、その画像の撮影角度を特定する。そして、情報生成部２０４は、記憶部２０３から読み出した公開範囲（以下、第１の公開範囲という）と、ＳＮＳサーバ装置から受信した公開範囲（以下、第２の公開範囲という）とが同じであるか否かを判定する（以下、第１の判定という）。
【０１４２】
上記第１の判定の結果、第１の公開範囲と第２の公開範囲とが同じである場合、情報生成部２０４は、記憶部２０３から読み出した複数の髪型画像の中から、上述の画像解析により特定した撮影角度と同じ撮影角度の髪型画像を選択する。例えば、第１の公開範囲が「親しい友達」であり、第２の公開範囲も「親しい友達」であり、かつ特定した撮影角度が「真正面」である場合、情報生成部２０４は、撮影角度が「真正面」の髪型画像を選択する。
【０１４３】
一方、上記第１の判定の結果、第１の公開範囲と第２の公開範囲が同じではない場合、情報生成部２０４は、第１の公開範囲が第２の公開範囲よりも広いか狭いかを判定する（以下、第２の判定という）。なお、以下において、記憶部２０３から読み出した複数の髪型画像の撮影角度は「真正面」、「右斜め４５度」、「左斜め４５度」、「右真横」、「左真横」、「真後ろ」の６つとし、この順でユーザの顔を認識しやすいとする。すなわち、「真正面」が最もユーザの顔を認識しやすく、「真後ろ」が最もユーザの顔を認識しにくいとする。
【０１４４】
上記第２の判定の結果、第１の公開範囲が第２の公開範囲よりも広い場合、機器１００を利用するユーザ（第１のユーザ）は、第１の公開範囲に含まれるユーザに対し、第２の公開範囲に含まれるユーザへ開示する情報（第１のユーザ自身の画像）よりも、より少ない情報（第１のユーザ自身であることがより認識しにくい画像）の開示を望んでいると判断できる。第１の公開範囲における画像の公開は、ＳＮＳサイトの公開範囲（第２の公開範囲）よりも広い範囲（多くのユーザ）に画像が公開されることになるため、情報生成部２０４は、記憶部２０３から読み出した複数の髪型画像の中から、特定した撮影角度よりもユーザの顔が認識しにくい（真正面からずれている）撮影角度の髪型画像を選択する。例えば、第１の公開範囲が「全体」であり、第２の公開範囲が「知り合い」であり、特定した撮影角度が「右斜め４５度」である場合、情報生成部２０４は、撮影角度が「右真横」の髪型画像を選択する。
【０１４５】
一方、上記第２の判定の結果、第１の公開範囲が第２の公開範囲よりも狭い場合、機器１００を利用するユーザ（第１のユーザ）は、第１の公開範囲に含まれるユーザに対し、第２の公開範囲に含まれるユーザと同程度またはそれ以上に自身の情報（自身であることをより認識しやすい画像）を開示したいと判断できる。
第１の公開範囲で画像が公開されるのはＳＮＳサイトの公開範囲よりも狭い範囲（少ないユーザ）に限られるため、情報生成部２０４は、記憶部２０３から読み出した複数の髪型画像の中から、特定した撮影角度よりもユーザの顔が認識しやすい（真正面またはより真正面に近い）撮影角度の髪型画像を選択する。例えば、第１の公開範囲が「知り合い」であり、第２の公開範囲が「全体」であり、特定した撮影角度が「右斜め４５度」である場合、情報生成部２０４は、撮影角度が「真正面」の髪型画像を選択する。
【０１４６】
以上のように情報生成部２０４は、ＳＮＳサイト（第２のウェブサイト）の公開情報に基づいて髪型画像を選択する。
【０１４７】
なお、上記第１の判定の結果、第１の公開範囲が第２の公開範囲に含まれる場合、情報生成部２０４は、記憶部２０３から読み出した複数の髪型画像の中から、特定した撮影角度と同じ撮影角度の髪型画像を選択してもよい。例えば、第１の公開範囲が「親しい友達」であり、第２の公開範囲が「知り合い」であり、特定した撮影角度が「真正面」である場合、情報生成部２０４は、撮影角度が「真正面」の髪型画像を選択してもよい。
【０１４８】
そして、情報生成部２０４は、記憶部２０３から読み出した複数の髪型画像が含まれるように、読み出したテンプレートデータを加工する。このとき、情報生成部２０４は、選択した髪型画像を、他の髪型画像より拡大し、かつ、最も目立つ位置（例えば、画面中央）に表示されるように、テンプレートデータを加工する。以上の加工が完了したテンプレートデータは、以下、第２の提示情報という。
【０１４９】
以上、第２の提示情報の生成処理の具体例について説明した。
【０１５０】
ステップＳ２２において、情報生成部２０４は、情報送受信部２０１に第２の提示情報を機器１００へ送信させる。
【０１５１】
ステップＳ２３において、機器１００の情報送受信部１０４は、サーバ装置２００から送信された第２の提示情報を受信する。そして、情報処理部１０５は、情報送受信部１０４が受信した第２の提示情報を、一旦記憶部１０３に記憶させる。
【０１５２】
ステップＳ２４において、情報処理部１０５は、記憶部１０３から第２の提示情報を読み出し、通知部１０２に第２の提示情報を表示させ、投稿画像の指定を受け付ける。
【０１５３】
ここで、図６を用いて、機器１００における第２の提示情報の表示例について説明する。図６Ａおよび図６Ｂは、第２の提示情報の表示例を示す。
【０１５４】
図６Ａおよび図６Ｂに示すように、画面最上部には、投稿画像を選択するようにユーザに促すメッセージが表示される。そのメッセージの隣には、第１の提示情報の提示の際にユーザにより指定された公開範囲が表示される。そして、メッセージの下部には、複数の髪型画像が表示される。図６Ａおよび図６Ｂでは、例として、６つの髪型画像のうちの３つが表示されているが、ユーザの操作（例えば、フリック操作等）により他の髪型画像に切り替えられる。
【０１５５】
図６Ａの例では、右真横の髪型画像２０が、真正面の髪型画像２１および真後ろの髪型画像２２よりも大きく表示され、かつ、画面中央に表示されている。また、図６Ｂの例では、真正面の髪型画像２１が、右真横の髪型画像２０および真後ろの髪型画像２２よりも大きく表示され、かつ、画面中央に表示されている。このように、ステップＳ２１において情報生成部２０４が選択した髪型画像は、他の選択されなかった髪型画像とは異なる態様で表示される。よって、ステップＳ２１において情報生成部２０４が選択した髪型画像は、他の髪型画像よりも目立つように表示される。すなわち、図６Ａの右真横の髪型画像２０および図６Ｂの真正面の髪型画像２１は、ＳＮＳサイトにおけるユーザの情報開示志向が反映された画像として、ユーザに推奨されることになる。なお、情報生成部２０４が選択した髪型画像の表示は、画面中央における表示、または、異なる態様での表示（例えば、選択した髪型画像を拡大する拡大表示、選択した髪型画像の周囲を線（黒色に加え、赤色、黄色といった色の付いた線を含む）で囲む縁取り表示、選択した髪型画像を点滅する点滅表示など）のいずれかであってもよい。
【０１５６】
ユーザは、図６Ａまたは図６Ｂの表示を見て、入力部１０１において所望の投稿画像を指定する操作を行う。このとき、ユーザは、投稿画像として、推奨された髪型画像を選択してもよいし、それ以外の髪型画像を選択してもよい。また、図示を省略しているが、ユーザは、選択した投稿画像について投稿コメントを入力できる。例えば、入力部１０１により投稿画像が選択されると、機器１００（情報処理部１０５）は、投稿コメントの入力欄を通知部１０２であるディスプレイに表示する。このように構成をすることで、ユーザは、その欄に所望のコメントをテキスト入力できる。投稿コメントの内容は、上述したとおり、例えば、髪型、ヘアサロン、スタイリストについての評価（口コミ）である。情報処理部１０５は、投稿画像および投稿コメントを受け付けると、それらを一旦記憶部１０３に記憶させる。
【０１５７】
ステップＳ２５において、情報処理部１０５は、情報送受信部１０４に第３の登録情報をサーバ装置２００へ送信させる。
【０１５８】
例えば、情報処理部１０５は、記憶部１０３からユーザＩＤ、指定された投稿画像および投稿コメントを読み出す。このとき、情報処理部１０５は、読み出しを行った日時の情報（以下、投稿日時という）を取得する。そして、情報処理部１０５は、投稿画像、投稿コメントおよび投稿日時を第３の登録情報とし、それにユーザＩＤを付与する。情報処理部１０５は、情報送受信部１０４にユーザＩＤを付与した第３の登録情報をサーバ装置２００へ送信させる。なお、第３の登録情報に付与されるユーザＩＤは、第１の登録情報の送信のときと同様、予め記憶部１０３に記憶されているものでもよいし、第３の登録情報の送信の際に入力部１０１において入力されたものでもよい。
【０１５９】
ステップＳ２６において、サーバ装置２００の情報送受信部２０１は、機器１００から送信された第３の登録情報を受信する。
【０１６０】
ステップＳ２７において、情報登録部２０２は、情報送受信部２０１が受信した第３の登録情報を記憶部２０３に登録する。
【０１６１】
例えば、図３において、事前登録情報（フィールドａ参照）、第１の登録情報（フィールドｂ参照）、および第２の登録情報（フィールドｃ参照）が登録されているとする。情報登録部２０２は、事前登録情報のユーザＩＤに対応付けて第３の登録情報を登録する（フィールドｄ参照）。
【０１６２】
なお、情報登録部２０２は、第３の登録情報を登録した際、図３に示すように、第４の登録情報（フィールドｅ参照）のデフォルト値を登録する。図３の例では、デフォルト値として、「他人のコメント」には「−（ハイフン）」、「評価」には「０（ゼロ）」が登録されている。これらはともに、投稿画像および投稿コメントに対して、他人のコメントおよび評価が無い（未登録である）ことを意味している。その後、情報登録部２０２は、第３の登録情報の登録を行った旨を示す情報（以下、第３の登録完了情報という）を情報生成部２０４へ出力する。
【０１６３】
情報生成部２０４は、第３の登録完了情報を入力すると、機器１００からの第３の提示情報の表示要求の受信を待機する。第３の提示情報は、実施の形態２で説明する。
【０１６４】
以上、本実施の形態に係る情報投稿支援システムによれば、他のＳＮＳサイトで公開されているユーザの画像に基づいて最適な画像を選択し、その画像を目立たせてユーザに提示することを特徴とする。これにより、ユーザは、ネットサービス上における自分の情報開示志向に合致した画像を容易に選択できる。その結果、評価サイトへの画像投稿において、ユーザの情報開示志向に応じたプライバシーの保護を実現できる。
【０１６５】
なお、上記実施の形態１において、その趣旨を逸脱しない範囲において種々の変形が可能である。例えば、以下の各変形例が挙げられる。
【０１６６】
例えば、ユーザは、所定の公開範囲を指定し、それに対応する投稿画像の指定および投稿コメントの入力を行った後、続けて、別の公開範囲を指定し、それに対応する投稿画像の指定および投稿コメントの入力を行ってもよい。この場合、ステップＳ１４〜Ｓ２７の処理が繰り返し行われる。これにより、ユーザは、複数の公開範囲のそれぞれについて、投稿画像および投稿コメントを対応付けて登録することができる。
【０１６７】
また、実施の形態１では、ステップＳ１６にてユーザがまず図５に表示されている候補の中から公開範囲を指定するが、これに限られない。例えばステップＳ１０にて取得した髪型画像が複数ある場合、１の髪型画像を所望の画像としてユーザがまず指定するようにしてもよい。すなわち情報処理部１０５は記憶部１０３から髪型画像を読み出し、通知部１０２に髪型画像を表示させ、所望の画像の指定を受け付ける。
【０１６８】
図７は、本変形例の表示画面の一例を示す図である。具体的にはＳ１０において、取得した複数の髪型画像を通知部１０２に表示させるとともに、複数の髪型画像のうちの１の髪型画像の指定を入力部１０１から受け付けるように構成をしたものである。
【０１６９】
そして、機器１００はサーバ装置２００に所望の画像を送信し、サーバ装置２００ではＳＮＳサーバ装置２００ａから取得した情報を基に当該所望の画像の最適な公開範囲を特定する。もしくはサーバ装置２００ではＳＮＳサーバ装置２００ａから取得した情報を基に当該所望の画像に対する公開範囲の複数の候補に対して、最適な順に順位付けする。
【０１７０】
そして、サーバ装置２００は特定した最適な公開範囲にて当該所望の画像を公開してよいか選択を受け付ける提示情報を生成する。もしくは順位づけされた複数の公開範囲のうちいずれかを選択させる提示情報であって、当該順位で公開範囲が並んで表示される提示情報もしくは当該順位のうちもっとも最適な公開範囲を中心に表示するような提示情報を機器１００に生成する。そして生成した提示情報を機器１００に送信する。
【０１７１】
機器１００はサーバ装置２００から当該特定した最適な公開範囲にて当該所望の画像を公開してよいか選択を受け付ける提示情報を表示し、ユーザからの公開範囲の選択を受け付ける。
【０１７２】
図８Ａは、本実施の形態の提示情報の表示の一例を示す図である。例えば所望の公開範囲として「知り合い」である。図８Ａにおいて入力部１０１より、表示画面に表示する「Ｙｅｓ」の入力を受け付けた場合、ユーザからの公開範囲として「知り合い」の選択を受け付ける。一方表示画面に表示する「Ｎｏ」の入力を受け付けた場合、ユーザからの公開範囲として「知り合い」が受け付けられなかったことになる。もしくは、上記した順位づけされた複数の公開範囲のうちいずれかを選択させる提示情報を表示し、ユーザから公開範囲の選択を受け付ける。
【０１７３】
図８Ｂは、本実施の形態の提示情報の表示の一例を示す図である。図では公開範囲として、「自分のみ」、「親しい友達」、「知り合い」、「全体」、「このサロンのみ」のいずれかの選択を受け付ける表示である。図８Ｂにおいて入力部１０１より、上述の公開範囲のいずれかが選択された場合、選択された公開範囲を受け付ける。
【０１７４】
これによりユーザは、各画像をまず選択したあとに、当該画像に対する最適な所望の公開範囲の確定もしくは選択を容易に行うことができる。
【０１７５】
また、例えば、ユーザは、１つの公開範囲に対して、複数の髪型画像および／または複数のコメントを登録してもよい。
【０１７６】
また、例えば、第２の提示情報の表示は、図６Ａおよび図６Ｂのように複数の髪型画像を表示する態様に限定されず、例えば、情報生成部２０４が選択した髪型画像のみを表示する態様であってもよい。この例を図９Ａおよび図９Ｂに示す。図９Ａでは、情報生成部２０４が選択した右真横の髪型画像のみが画面中央に表示され、公開範囲「全体」に最適な投稿画像としてユーザに推奨されている。また、図９Ｂでは、情報生成部２０４が選択した真正面の髪型画像のみが画面中央に表示され、公開範囲「親しい友達」に最適な投稿画像としてユーザに推奨されている。図９Ａまたは図９Ｂにおいて、ユーザは、「左回転」または「右回転」の表示を操作（例えば、タッチ操作など）することで、別の撮影角度の髪型画像に切り替えることができる。例えば、図９Ａにおいて、「左回転」が操作されると真正面の髪型画像が表示され、「右回転」が操作されると真後ろの髪型画像が表示される。
【０１７７】
また、例えば、ユーザが、投稿画像を選択する際に、その画像でぼかしを入れたい部分（以下、ぼかし部分という）を指定することができるようにしてもよい。このぼかし部分の指定は、公開範囲ごとに指定することができる。この例を図１０に示す。図１０Ａは、公開範囲「全体」の投稿画像としてユーザが真正面の髪型画像を選択した場合において、ユーザが顔全体をぼかし部分として指定し、所望のぼかしの度合い（鮮明度ともいう）を設定した場合を示している。図１０Ａにおいて、ユーザは、鮮明度の「＋（プラス）」または「−（マイナス）」の表示を操作（例えば、タッチ操作など）することで、設定したいぼかしの度合いを切り替えることができる。これに対し、図１０Ｂは、公開範囲「親しい友達」の投稿画像としてユーザが真正面の髪型画像を選択した場合において、ユーザがぼかし部分の指定をしなかった場合を示している。図１０Ａのように指定されたぼかし部分およびぼかしの度合いは、第３の登録情報として機器１００からサーバ装置２００へ送信される。そして、サーバ装置２００において、投稿画像の指定されたぼかし部分に対して、指定されたぼかしの度合いで画像処理が施され、記憶部２０３に記憶される。なお、上記では、図９Ａおよび図９Ｂの表示例を用いて説明したが、図６Ａおよび図６Ｂの表示例においても上記同様にぼかし部分の指定およびぼかしの度合いの設定が可能である。
【０１７８】
また、例えば、投稿日時は、機器１００における投稿画像等の読み出し時に限定されない。例えば、投稿日時は、サーバ装置２００が第３の登録情報を記憶部２０３に登録した時であってもよい。
【０１７９】
また、例えば、評価対象は髪型に限定されず、ネイルまたはメイクなどであってもよい。
【０１８０】
＜実施の形態２の構成＞
本実施の形態に係る情報投稿支援システムの構成は、図２に示す実施の形態１の構成と基本的に同じである。以下では、実施の形態１と異なる点について説明する。
【０１８１】
まず、機器１００の構成について説明する。
【０１８２】
例えば、情報処理部１０５は、入力部１０１においてユーザによる第３の提示情報の表示要求を受け付けると、その第３の提示情報の表示要求を、情報送受信部１０４にサーバ装置２００へ送信させる。第３の提示情報とは、投稿画像および投稿コメントをユーザに閲覧させるとともに、それらに対する他人のコメントおよび／または評価の入力をユーザから受け付けるウェブページを構成する画像情報である（後述する図１２参照）。
【０１８３】
また、例えば、情報処理部１０５は、情報送受信部１０４においてサーバ装置２００から受信した第３の提示情報を通知部１０２に表示させる。
【０１８４】
また、例えば、情報処理部１０５は、第３の提示情報の提示後、他人のコメントおよび／または評価の入力を入力部１０１から受け付けると、その他人のコメントおよび／または評価を第４の登録情報として、情報送受信部１０４にサーバ装置２００へ送信させる。
【０１８５】
以上、機器１００の構成について説明した。
【０１８６】
次に、サーバ装置２００の構成について説明する。
【０１８７】
例えば、記憶部２０３は、第３の提示情報のテンプレートデータを記憶している。
【０１８８】
例えば、情報生成部２０４は、情報送受信部２０１が機器１００から第３の提示情報の表示要求を受信すると、第３の提示情報を生成する。この生成処理の詳細は後述する。
【０１８９】
また、例えば、情報生成部２０４は、生成した第３の提示情報を、情報送受信部２０１に機器１００へ送信させる。
【０１９０】
また、例えば、情報生成部２０４は、情報送受信部２０１が機器１００から第４の登録情報を受信すると、それを記憶部２０３に登録する。この登録処理の詳細は後述する。
【０１９１】
以上、サーバ装置２００の構成について説明した。
【０１９２】
＜実施の形態２の動作＞
図１１Ａは、本開示の実施の形態に係る情報投稿支援システムの構成の一例を示すブロック図である。図１１Ａにおいて、図２に付した符号と同一の符号のものは、図２に示したものと同一またはこれに相当するものである。図２に付した符号と同一の符号を付したものについては、ここでは詳細な説明を省略する。
【０１９３】
図１１Ａにおいて、１００ａは機器である。例えば機器１００を利用するユーザ（第１のユーザ）と、機器１００ａを利用するユーザ（第２のユーザ）とは異なる。また機器１００を利用するユーザ、機器１００ａを利用するユーザのそれぞれに対応する登録情報は、例えば図３に示すデータテーブルに登録されている。
【０１９４】
図１１Ｂは、本実施の形態のデータテーブルの一例を示す図である。例えば、機器１００を利用するユーザに対応する公開範囲の情報（図１１Ｂに示すフィールドｃ）に含まれるユーザのうちの一人が、機器１００ａを利用するユーザである。
【０１９５】
また、例えば、機器１００ａを利用するユーザに対応する公開範囲の情報（図３に示すフィールドｃ）に含まれるユーザの一人が、機器１００を利用するユーザである。
【０１９６】
機器１００ａの具体的な構成は、例えば、機器１００と同様であるため、機器１００ａの具体的な構成の説明は、ここでは省略する。
【０１９７】
次に、本実施の形態に係る情報投稿支援システム（機器１００およびサーバ装置２００）の情報投稿支援処理の処理手順の一例について説明する。図１２は、本実施の形態の情報投稿支援システムにおける情報投稿支援処理の処理手順の一例を示すフローチャートである。
【０１９８】
図１２のフローチャートにおいては、主として機器１００とサーバ装置２００との間の処理を例に説明をするが、機器１００ａとサーバ装置２００との間の処理も同様のことが言える。
【０１９９】
ステップＳ３１において、機器１００の情報処理部１０５は、情報送受信部１０４に第３の提示情報（後述する図１３参照）の表示要求をサーバ装置２００へ送信させる。
【０２００】
例えば、情報処理部１０５は、入力部１０１においてユーザによる第３の登録情報の表示要求（以下、表示要求という）を受け付けると、記憶部１０３からユーザＩＤを読み出す。そして、情報処理部１０５は、ユーザＩＤおよび表示要求を、情報送受信部１０４にユーザＩＤおよび表示要求を、サーバ装置２００へ送信させる。なお、ここで送信されるユーザＩＤは、予め記憶部１０３に記憶されているとしたが、表示要求の送信の際に入力部１０１において入力されてもよい。
【０２０１】
ステップＳ３２において、サーバ装置２００の情報送受信部２０１は、機器１００から送信された表示要求を受信する。
【０２０２】
ステップＳ３３において、情報生成部２０４は、表示要求を受信したことを受け、記憶部２０３に記憶されている投稿画像および投稿コメント等に基づいて、第３の提示情報を生成する。
【０２０３】
ここで、第３の提示情報の生成処理の具体例について以下に説明する。
【０２０４】
まず、情報生成部２０４は、図３のデータテーブルにおいて、表示要求とともに受信したユーザＩＤ（以下、受信ユーザＩＤという）に基づいて、当該受信ユーザＩＤのユーザに公開が許可されている投稿画像および投稿コメントを検索する。
【０２０５】
例えば、受信ユーザＩＤが「１１１１」である場合について説明する。この場合、機器１００を利用するユーザ（第１のユーザ）が表示要求を機器１００からサーバ装置２００へ送信したことを意味する。このとき、情報生成部２０４は、図１１Ｂのデータテーブルを参照し、公開範囲に受信ユーザＩＤが「１１１１」を含むユーザを特定する。図１１Ｂの場合ユーザＩＤが「１００１」のユーザは、公開範囲として「親しい友達ＩＤ」が指定されている。そして、ユーザＩＤが「１００１」のユーザは、「親しい友達ＩＤ」にユーザＩＤ「１１１１」を含む。
【０２０６】
よって、ユーザＩＤが「１００１」のユーザは、ユーザＩＤが「１００１」に対応付けられる投稿画像および投稿コメントを受信ユーザＩＤが「１１１１」のユーザに公開を許可していることをサーバ装置２００の情報生成部２０４は認識する。
【０２０７】
例えば、受信ユーザＩＤが「１００１」である場合について説明する。この場合、機器１００ａを利用するユーザ（第２のユーザ）が表示要求を機器１００ａからサーバ装置２００へ送信したことを意味する。この場合、情報生成部２０４は、図１１ＢのデータテーブルのユーザＩＤ「１１１１」において、親しい友達ＩＤにユーザＩＤ「１００１」が登録されており、かつ、公開範囲に「親しい友達ＩＤ」が登録されていることを認識する。これにより、情報生成部２０４は、ユーザＩＤ「１１１１」に対応付けられている投稿画像および投稿コメントが受信ユーザＩＤ「１００１」のユーザに公開が許可されているものと決定する。
【０２０８】
なお、公開範囲に「全体」が登録されている場合、情報生成部２０４は、無条件に、その公開範囲に対応付けられている投稿画像および投稿コメントが受信ユーザＩＤのユーザに公開が許可されているものと決定する。また、受信ユーザＩＤが公開範囲に登録されたカテゴリに該当しない場合、情報生成部２０４は、その公開範囲に対応付けられている投稿画像および投稿コメントが受信ユーザＩＤのユーザに公開が許可されていないものと決定する。
【０２０９】
次に、情報生成部２０４は、記憶部２０３から、受信ユーザＩＤのユーザに公開が許可されていると決定した投稿画像、投稿コメントおよび投稿日時と、それらに対応付けられている他人のコメントおよび評価とを読み出す。以下では、読み出された、投稿画像、投稿コメント、投稿日時、他人のコメント、および評価を一まとめにして「投稿情報」という。また、情報生成部２０４は、記憶部２０３から、第３の提示情報を生成するためのテンプレートデータを読み出す。
【０２１０】
そして、情報生成部２０４は、投稿日時が新しい順に各投稿情報が表示されるように、テンプレートデータを加工する。また、情報生成部２０４は、投稿情報ごとに、評価入力ボタンおよびコメント入力ボタン（図１３を用いて後述）が表示されるように、テンプレートデータを加工する。以上の加工が完了したテンプレートデータは、以下、第３の提示情報という。
【０２１１】
以上、第３の提示情報の生成処理の具体例について説明した。
【０２１２】
ステップＳ３４において、情報生成部２０４は、情報送受信部２０１に第３の提示情報を受信ユーザＩＤの機器へ送信させる。例えば、受信ユーザＩＤが「１１１１」の場合は、送信先の機器は機器１００である。また、例えば受信ユーザＩＤが「１００１」の場合は、送信先の機器は機器１００ａである。以下の例では、送信先の機器が機器１００である場合（つまり、受信ユーザＩＤが「１１１１」の場合）を例にして説明をする。
【０２１３】
ステップＳ３５において、機器１００の情報送受信部１０４は、サーバ装置２００から送信された第３の提示情報を受信する。そして、情報処理部１０５は、情報送受信部１０４が受信した第３の提示情報を、一旦記憶部１０３に記憶させる。
【０２１４】
ステップＳ３６において、情報処理部１０５は、記憶部１０３から第３の提示情報を読み出し、通知部１０２に第３の提示情報を表示させ、他人のコメントおよび／または評価の入力を受け付ける。
【０２１５】
ここで、図１３を用いて、機器１００における第３の提示情報の表示例について説明する。図１３は、第３の提示情報の表示例を示す。
【０２１６】
図１３において、投稿日時の新しい順に、上部から３つの投稿情報が表示されている。例えば、最新の投稿情報の表示例である表示Ａについて説明する。表示Ａでは、投稿画像３０、評価３１、投稿コメント３２、評価入力ボタン３３、コメント入力ボタン３４、スタイリスト名ボタン３５が表示されている。
【０２１７】
投稿画像３０は、図３のフィールドｄに登録されている投稿画像である。
【０２１８】
評価３１は、図１１Ｂのフィールドｅに登録されている値を反映した画像である。図１３の例では、評価を示す値が段階的に設定された閾値を超える毎に星の数が増えるように示される。よって、星の数が多いほど、評価入力ボタン３３が操作された回数が多いことを示す。
【０２１９】
投稿コメント３２は、図１１Ｂのフィールドｄに登録されている投稿コメントである。この投稿コメント３２の表示部分に対して例えばタッチ操作が行われると、投稿コメントの全文が表示される。また、この投稿コメント３２の表示とともに、図１１Ｂのフィールドｅに登録されている他人のコメントが表示される。
【０２２０】
評価入力ボタン３３は、投稿画像３０および投稿コメント３２に対して投稿者以外のユーザが簡易的に好評価の意思表示を行う際に操作するボタンである。この評価入力ボタン３３の操作回数は、第４の登録情報としてサーバ装置２００へ送られ、図１１Ｂのフィールドｅの「評価」に登録される。
【０２２１】
コメント入力ボタン３４は、投稿画像３０および投稿コメント３２に対して投稿者以外のユーザが具体的な意思表示（例えば、髪型、ヘアサロン、スタイリストについての感想、または、投稿したユーザに対する質問など）を行う際に操作するボタンである。コメント入力ボタン３４が操作されると、コメント入力欄が表示され、その欄にユーザは任意のコメントを入力できる。入力されたコメントは、第４の登録情報としてサーバ装置２００へ送られ、図１１Ｂのフィールドｅの「他人のコメント」に登録される。
【０２２２】
なお、このコメント入力ボタン３４を使ってのコメント入力は、投稿画像３０および投稿コメント３２の投稿者以外の他のユーザに限らず、投稿画像３０および投稿コメント３２の投稿者自身が行ってもよい。本実施の形態では、説明を簡単にするため、コメント入力ボタン３４を使って入力されるコメントは、その入力した人が投稿者であるか否かに関係なく、いずれも「他人のコメント」という。
【０２２３】
スタイリスト名ボタン３５は、投稿画像３０の髪型を施術したスタイリストの名前である。スタイリスト名は、例えば、図１１Ｂのフィールドｂにおいて、スタイリストＩＤとともに、または、スタイリスト名単独で、登録されている。なお、図１１Ｂには図示を省略しているが、スタイリスト名には、そのスタイリストのプロフィール情報（例えば、顔画像、出身地、趣味・特技、顧客へのメッセージ等）が紐付けて登録されている。
【０２２４】
なお、図１３では、例として、３つの投稿情報が表示されているが、ユーザの操作（例えば、フリック操作等）により他の投稿情報の表示に切り替えられる。
【０２２５】
そして、情報処理部１０５は、評価および／または他人のコメントの入力を受け付けると、その対象となった投稿画像（投稿画像を特定可能な情報であってもよい。以下同じ）とともに、一旦記憶部１０３に記憶させる。
【０２２６】
ステップＳ３７において、情報処理部１０５は、情報送受信部１０４に第４の登録情報をサーバ装置２００へ送信させる。
【０２２７】
例えば、情報処理部１０５は、記憶部１０３からユーザＩＤ、入力された評価および／または他人のコメント、投稿画像を読み出す。そして、情報処理部１０５は、評価および／または他人のコメント、投稿画像を第４の登録情報とし、それにユーザＩＤを付与し、情報送受信部１０４からサーバ装置２００へ送信する。なお、第４の登録情報に付与されるユーザＩＤは、第１の登録情報の送信のときと同様、予め記憶部１０３に記憶されているものでもよいし、第４の登録情報の送信の際に入力部１０１において入力されたものでもよい。
【０２２８】
ステップＳ３８において、サーバ装置２００の情報送受信部２０１は、機器１００から送信された第４の登録情報を受信する。
【０２２９】
ステップＳ３９において、情報登録部２０２は、情報送受信部２０１が受信した第４の登録情報を記憶部２０３に登録する。
【０２３０】
例えば、図１１Ｂにおいて、事前登録情報（フィールドａ参照）、第１の登録情報（フィールドｂ参照）、第２の登録情報（フィールドｃ参照）、および第３の登録情報（フィールドｄ参照）が登録されているとする。情報登録部２０２は、第４の登録情報として受信した投稿画像に対応付けてその他の登録情報（すなわち、評価および／または他人のコメント）を登録する（フィールドｅ参照）。その後、情報登録部２０２は、第４の登録情報の登録を行った旨を示す情報（以下、第４の登録完了情報という）を情報生成部２０４へ出力する。
【０２３１】
情報生成部２０４は、第４の登録完了情報を入力した場合、それ以降に機器１００から表示要求を受けると、上述したように第３の提示情報を生成し、情報送受信部２０１に第３の提示情報を機器１００へ送信させる。これにより、更新後の第３の提示情報が機器１００に表示される。
【０２３２】
なお、図１３の画面において、スタイリスト名ボタン３５の操作が行われた場合、情報処理部１０５は、そのスタイリスト名の情報を一旦記憶部１０３に記憶させた後、それを情報送受信部１０４からサーバ装置２００へ送信する。サーバ装置２００において、情報送受信部２０１がスタイリスト名の情報を受信すると、情報生成部２０４は、その情報に紐付けられたプロフィール情報を記憶部２０３から取得する。そして、情報生成部２０４は、取得したプロフィール情報を情報送受信部２０１から機器１００へ送信する。機器１００において、情報送受信部１０４がプロフィール情報を受信すると、情報処理部１０５は、それを一旦記憶部１０３に記憶させる。その後、情報処理部１０５は、記憶部１０３からプロフィール情報を読み出し、通知部１０２に表示させる。これにより、通知部１０２にプロフィール情報が表示され、ユーザは、選択したスタイリストのプロフィールを閲覧することができる。
【０２３３】
以上、本実施の形態に係る情報投稿支援システムによれば、プライバシー保護を実現しながら複数のユーザの投稿画像を公開し、かつ、それら投稿画像に対するコメント等を受け付けて公開することを特徴とする。これにより、施術を受けていない第３者も他人の投稿画像に対して評価を行えるため、評価に際して実際の利用が必要な飲食店評価サイトまたは商品評価サイトに比べて、投稿コンテンツ（例えば、投稿画像、投稿コメントなど）の拡充を実現できる。
【０２３４】
なお、上記実施の形態１および実施の形態２において、その趣旨を逸脱しない範囲において種々の変形が可能である。
【０２３５】
＜コンピュータプログラムによる実現例＞
以上、本開示に係る実施形態１、２について図面を参照して詳述してきたが、上述した機器１００およびサーバ装置２００（以下、各装置という）の機能は、コンピュータプログラムにより実現され得る。
【０２３６】
図１４は、各装置の機能をプログラムにより実現するコンピュータのハードウェア構成を示す図である。このコンピュータ１３００は、キーボード、マウス、タッチパッドなどの入力装置１３０１、ディスプレイ、スピーカなどの出力装置１３０２、ＣＰＵ（Central Processing Unit）１３０３、ＲＯＭ（Read Only Memory）１３０４、ＲＡＭ（Random Access Memory）１３０５、ハードディスク装置、ＳＳＤ（Solid State Drive）などの記憶装置１３０６、ＤＶＤ−ＲＯＭ（Digital Versatile Disk Read Only Memory）、ＵＳ
Ｂ（Universal Serial Bus）メモリなどの記録媒体から情報を読み取る読取装置１３０７、ネットワークを介して通信を行う送受信装置１３０８を備え、各部はバス１３０９により接続される。
【０２３７】
そして、読取装置１３０７は、各装置の機能を実現するためのプログラムを記録した記録媒体からそのプログラムを読み取り、記憶装置１３０６に記憶させる。あるいは、送受信装置１３０８が、ネットワークに接続されたサーバ装置と通信を行い、サーバ装置からダウンロードした各装置の機能を実現するためのプログラムを記憶装置１３０６に記憶させる。
【０２３８】
そして、ＣＰＵ１３０３が、記憶装置１３０６に記憶されたプログラムをＲＡＭ１３０５にコピーし、そのプログラムに含まれる命令をＲＡＭ１３０５から順次読み出して実行することにより、各装置の機能が実現される。
【０２３９】
＜クラウドサービスの類型＞
また、上記実施の形態において説明された技術は、例えば、以下のクラウドサービスの類型において実現されうる。しかし、上記実施の形態において説明された技術が実現される類型はこれに限られるものでない。
【０２４０】
（サービスの類型１：自社データセンタ型）
図１５は、サービスの類型１（自社データセンタ型）の一例を示す図である。本類型は、サービスプロバイダ１２がグループ１０から情報を取得し、ユーザに対してサービスを提供する類型である。本類型では、サービスプロバイダ１２が、データセンタ運営会社の機能を有している。即ち、サービスプロバイダが、ビッグデータの管理をするクラウドサーバ１１ａを保有している。従って、データセンタ運営会社は存在しない。
【０２４１】
本類型では、サービスプロバイダ１２は、データセンタ（クラウドサーバ１１ａ）を運営、管理している（１２００ｃ）。また、サービスプロバイダ１２は、ＯＳ（１２００ｂ）及びアプリケーション（１２００ａ）を管理する。サービスプロバイダ１２は、サービスプロバイダ１２が管理するＯＳ（１２００ｂ）及びアプリケーション（１２００ａ）を用いてサービス提供を行う（１２００ｄ）。
【０２４２】
（サービスの類型２：ＩａａＳ利用型）
図１６は、サービスの類型２（ＩａａＳ利用型）の一例を示す図である。ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０２４３】
本類型では、データセンタ運営会社がデータセンタ（クラウドサーバ１１ａ）を運営、管理している（１２００ｃ）。また、サービスプロバイダ１２は、ＯＳ（１２００ｂ）及びアプリケーション（１２００ａ）を管理する。サービスプロバイダ１２は、サービスプロバイダ１２が管理するＯＳ（１２００ｂ）及びアプリケーション（１２００ａ）を用いてサービス提供を行う（１２００ｄ）。
【０２４４】
（サービスの類型３：ＰａａＳ利用型）
図１７は、サービスの類型３（ＰａａＳ利用型）の一例を示す図である。ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０２４５】
本類型では、データセンタ運営会社１１は、ＯＳ（１２００ｂ）を管理し、データセンタ（クラウドサーバ１１ａ）を運営、管理している（１２００ｃ）。また、サービスプロバイダ１２は、アプリケーション（１２００ａ）を管理する。サービスプロバイダ１２は、データセンタ運営会社が管理するＯＳ（１２００ｂ）及びサービスプロバイダ１２が管理するアプリケーション（１２００ａ）を用いてサービス提供を行う（１２００ｄ）。
【０２４６】
（サービスの類型４：ＳａａＳ利用型）
図１８は、サービスの類型４（ＳａａＳ利用型）の一例を示す図である。ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０２４７】
本類型では、データセンタ運営会社１１は、アプリケーション（１２００ａ）を管理し、ＯＳ（１２００ｂ）を管理し、データセンタ（クラウドサーバ１１ａ）を運営、管理している（１２００ｃ）。また、サービスプロバイダ１２は、データセンタ運営会社１１が管理するＯＳ（１２００ｂ）及びアプリケーション（１２００ａ）を用いてサービス提供を行う（１２００ｄ）。
【０２４８】
以上いずれの類型においても、サービスプロバイダ１２がサービス提供行為を行ったものとする。また例えば、サービスプロバイダ若しくはデータセンタ運営会社は、ＯＳ、アプリケーション若しくはビッグデータのデータベース等を自ら開発してもよいし、また、第三者に外注させてもよい。
【産業上の利用可能性】
【０２４９】
本開示の技術は、ウェブサイトへの画像の投稿を支援する端末装置、サーバ装置、情報投稿支援方法およびコンピュータプログラムに有用である。
【符号の説明】
【０２５０】
１、２  ユーザ
１０  グループ
１０ａ、１００  機器
１０ｂ  ホームゲートウェイ
１１  データセンタ運営会社
１１ａ  クラウドサーバ
１２  サービスプロバイダ
１２ａ  サーバ
１０１  入力部
１０２  通知部
１０３  記憶部
１０４  情報送受信部
１０５  情報処理部
２００  サーバ装置
２０１  情報送受信部
２０２  情報登録部
２０３  記憶部
２０４  情報生成部
３００  ネットワーク
１２００ａ  アプリケーション
１２００ｂ  ＯＳ
１２００ｃ  データセンタ（クラウドサーバ）
１２００ｄ  サービス提供
１３００  コンピュータ
１３０１  入力装置
１３０２  出力装置
１３０３  ＣＰＵ（Central Processing Unit）
１３０４  ＲＯＭ（Read Only Memory）
１３０５  ＲＡＭ（Random Access Memory）
１３０６  記憶装置
１３０７  読取装置
１３０８  送受信装置
１３０９  バス
【図１Ａ】
2015158905.tif 000003
【図１Ｂ】
2015158905.tif 000004
【図１Ｃ】
2015158905.tif 000005
【図２】
2015158905.tif 000006
【図３】
2015158905.tif 000007
【図４】
2015158905.tif 000008
【図５】
2015158905.tif 000009
【図６Ａ】
2015158905.tif 000010
【図６Ｂ】
2015158905.tif 000011
【図７】
2015158905.tif 000012
【図８Ａ】
2015158905.tif 000013
【図８Ｂ】
2015158905.tif 000014
【図９Ａ】
2015158905.tif 000015
【図９Ｂ】
2015158905.tif 000016
【図１０Ａ】
2015158905.tif 000017
【図１０Ｂ】
2015158905.tif 000018
【図１１Ａ】
2015158905.tif 000019
【図１１Ｂ】
2015158905.tif 000020
【図１２】
2015158905.tif 000021
【図１３】
2015158905.tif 000022
【図１４】
2015158905.tif 000023
【図１５】
2015158905.tif 000024
【図１６】
2015158905.tif 000025
【図１７】
2015158905.tif 000026
【図１８】
2015158905.tif 000027